(57)【要約】【課題】可動部材を駆動する駆動機構が大型化することを防止もしくは抑制しつつ、可動部材の動作範囲を大きくできる遊技機を提供すること。【解決手段】枠部材１５と、それぞれの一端部を中心として枠部材１５に対して揺動可能に支持される二つの第一の駆動部材１３ａ，１３ｂと、二つの係合部１１１ａ，１１１ｂが設けられ、一方の係合部１１１ａが一方の第一の駆動部材１３ａの他端部に係合し、他方の係合部１１１ｂが他方の第一の駆動部材１３ｂの他端部に係合する可動部材１１と、二つの第一の駆動部材１３ａ，１３ｂのそれぞれを駆動する二つの駆動機構１４ａ，１４ｂとを備え、一方の第一の駆動部材１３ａおよび一方の駆動機構１４ａは、可動部材１１の一側に配設され、電気的動力源は単独あるいは双方の異なる或いは同期した動力に応じて前記二つの駆動機構１４ａ，１４ｂおよび二つの第一の駆動部材１３ａ，１３ｂを動かして、前記可動部材１１を動かす。【選択図】図１３
2011244916.tif 000002
【特許請求の範囲】
【請求項１】
ベース部材と、
それぞれの一端部を中心として前記ベース部材に対して揺動可能に支持される二つの第一の駆動部材と、
二つの係合部が設けられ、前記二つの係合部の一方が前記二つの第一の駆動部材の一方の他端部に係合し、前記二つの係合部の他方が前記二つの第一の駆動部材の他方の他端部に係合する可動部材と、
前記二つの第一の駆動部材のそれぞれを駆動する二つの駆動機構と、
を備え、
前記二つの駆動機構のそれぞれは、
前記ベース部材に対して変位可能な第二の駆動部材と、
前記第二の駆動部材をベース部材に対して変位させる電気的動力源と、
前記第一の駆動部材の所定の位置と前記第二の駆動部材とを連結するリンク部材と、
を備え、
前記二つの第一の駆動部材の一方および前記二つの駆動機構の一方は前記可動部材の一側に配設され、前記各々の電気的動力源は単独あるいは双方の異なる或いは同期した動力に応じて前記二つの駆動機構および前記二つの第一の駆動部材を動かして、前記可動部材を動かすことを特徴とする遊技機。
【請求項２】
前記二つの第一の駆動部材の一方および前記二つの駆動機構の一方と、前記二つの第一の駆動部材の他方および前記二つの駆動機構の他方とが、前記可動部材を略中心として略鏡面対称または鏡面対称に配設されることを特徴とする請求項１に記載の遊技機。
【請求項３】
前記可動部材の前記二つの係合部の一方は、前記二つの第一の駆動部材の一方の他端部に揺動可能に係合し、前記可動部材の前記二つの係合部の他方は、前記二つの第一の駆動部材の他方の他端部に揺動可能でかつ前記揺動とは異なる移動可能に係合することを特徴とする請求項１または請求項２に記載の遊技機。
【請求項４】
前記可動部材の前記二つの係合部の一方は、前記二つの第一の駆動部材の一方の他端部に固定または回転可能にまたは変位可能に係合し、前記可動部材の前記二つの係合部の他方は、前記二つの第一の駆動部材の他方の他端部に変位可能に係合することを特徴とする請求項１から請求項３のいずれか一項に記載の遊技機。
【請求項５】
前記二つの第一の駆動部材の前記他方の前記先端部には穴部または凹部が設けられ、前記可動部材の前記二つの係合部の前記他方は、前記穴部または凹部に変位可能に係合することを特徴とする請求項３または請求項４に記載の遊技機。
【請求項６】
前記可動部材には外部から供給される電力により動作する電気機器が設けられ、前記二つの第一の駆動部材の前記一方には、前記電気機器に電力を供給する電線が視認困難または視認不可能に配索されることを特徴とする請求項５に記載の遊技機。
【請求項７】
前記電気機器は、発光素子が実装された発光基板であることを特徴とする請求項６に記載の遊技機。
【請求項８】
前記二つの駆動機構のそれぞれの前記電気的動力源は、正逆回転動力を発生可能な電気的動力源であり、前記二つの駆動機構のそれぞれの前記第二の駆動部材は、前記電気的動力源に結合されて前記ベース部材に対して正逆回転する態様で変位可能であることを特徴とする請求項１から請求項７のいずれか一項に記載の遊技機。
【請求項９】
図柄を表示可能な表示装置をさらに備え、前記二つの第一の駆動部材のそれぞれが揺動の範囲の一端である第一の位置に位置すると、前記可動部材は前記表示装置の前面側に重ならないまたは前記表示装置の少なくとも所定の一辺近傍にある退避位置に位置し、前記二つの第一の駆動部材のそれぞれが揺動の範囲の他端である第二の位置に位置すると、前記可動部材は前記表示装置の前面側に重なる重畳位置に位置し、前記第二の位置において、前記可動部材が可動することを特徴とする請求項１から請求項８のいずれか一項に記載の遊技機。
【請求項１０】
前記二つの第一の駆動部材のそれぞれの前記一端部は、前記表示装置の所定の一辺または前記所定の一辺の延長線よりも外側に位置し、前記二つの第一の駆動部材のそれぞれが前記第一の位置に位置すると、前記所定の一辺または前記延長線から前記二つの第一の駆動部材のそれぞれの前記他端部までの距離が、前記所定の一辺または前記延長線から前記一端部までの距離よりも大きくなることを特徴とする請求項９に記載の遊技機。
【請求項１１】
前記二つの第一の駆動部材のそれぞれは、前記一端部と前記他端部との中間位置において屈曲する屈曲部または湾曲する湾曲部を有する略棒状の部材であり、前記屈曲部または前記湾曲部の内側が前記表示装置側に向けて配設されるとともに、前記第一の位置に位置すると前記屈曲部または前記湾曲部と前記他端部との間の部分は前記表示装置の前面側に重ならず、前記第二の位置に位置すると前記部分の一部または全部が前記表示装置の前面側に重なることを特徴とする請求項９または請求項１０に記載の遊技機。
【請求項１２】
前記二つの第一の駆動部材のそれぞれが前記一端部と前記屈曲部または前記湾曲部との間は、揺動の範囲のいずれの位置においても、前記表示装置の前面側に重ならないことを特徴とする請求項１１に記載の遊技機。
【請求項１３】
前記二つの駆動部のそれぞれは、前記二つの第一の駆動部材のそれぞれの前記一端部と前記屈曲部または前記湾曲部との間の側方であって前記表示装置とは反対側の側方に配設されることを特徴とする請求項１１または請求項１２に記載の遊技機。
【請求項１４】
前記二つの第一の駆動部材のそれぞれは、前記第一の位置に位置すると、前記屈曲部または前記湾曲部と前記他端部との間が、前記表示装置の外周の前記所定の一辺に所定の距離をおいて略平行となるとともに、前記一端部から前記屈曲部または前記湾曲部との間は前記所定の辺に対して所定の角度をもって傾斜し、前記第二の位置に位置すると、前記一端部から前記屈曲部または前記湾曲部との間は、前記所定の辺に対して略平行となることを特徴とする請求項１１から請求項１３のいずれか一項に記載の遊技機。
【発明の詳細な説明】
【技術分野】
【０００１】
本発明は、パチンコ遊技機などの遊技機に関するものであり、詳しくは、所定の物理的な動作（＝所定の運動）を行うことにより遊技を演出する可動部材（＝演出部材）を備える遊技機に関するものである。
【背景技術】
【０００２】
遊技機には、遊技を演出するために遊技状況に応じた動作を行う可動部材（演出部材）や装置を備えるものがある。たとえば、パチンコ遊技機には、遊技領域が設けられた遊技盤と、所定の図柄を表示可能な表示装置と、所定の運動を行うことができる可動部材とを備えるものがある。このような遊技機においては、一般的に、遊技球が、遊技盤に設けられた入賞口や入賞装置に入賞するなどすると、遊技状況が変化するような制御が行われる。そして、変化した遊技状況に応じて、表示装置が所定の図柄を表示するとともに、可動部材が所定の動作（＝運動）を行う。このように、表示装置の表示と、可動部材の動作とによって、遊技を演出し、遊技者の遊技に対する興味の持続や向上を図っている。
【０００３】
たとえば、特許文献１には、複合役物装置を備える遊技機が開示されている。この複合役物装置は、所定の図柄を変動表示できる液晶表示装置と、駆動手段（具体的には、ギヤードモータ）の動力によって振り子運動の態様で揺動できる可動部材（装飾体）とを備える。そして、可動部材が、液晶表示装置の前面側において左右に揺動することによって、遊技を演出する。
【０００４】
遊技者の遊技に対する興味の持続や向上を図るためには、可動部材の動作範囲（＝移動量）が大きいことや、可動部材の動作態様のバリエーションが多いことが好ましい。すなわち、可動部材の動作の範囲が小さいと、可動部材が動作しても、遊技者を強く惹き付けることができないことがある。一方、可動部材の動作態様のバリエーションが少ないと（すなわち、動作態様が単調であると）、可動部材の動作に対する興味を持続させることが困難である。これに対して、可動部材の動作範囲が大きいと、遊技の演出に「ダイナミズム」を与えることができ、遊技者を強く惹き付けることができる。一方、可動部材の動作態様のバリエーションが多いと、遊技状況に応じて種々の動作を行うことができるから、遊技者の可動部材の動作に対する興味、ひいては遊技に対する興味を持続することができる。
【０００５】
しかしながら、可動部材の動作範囲を大きくしようとしたり、動作態様のバリエーションを増やそうとしたりすると、次のような問題が生じることがある。
【０００６】
可動部材の可動範囲を大きくしようとすると、可動部材を動作させるための駆動機構のサイズを大きくする必要がある。そうすると、駆動機構を配設するために必要なスペースも大きくなる。表示装置を備える遊技機においては、表示装置と駆動機構とが互いに物理的に干渉しないように配設する必要がある。したがって、一般的には、表示装置の外側の周辺に駆動機構を配設する必要がある。ところが、近年の表示装置の画面サイズの大型化に伴い、表示装置の周辺のスペースが小さくなってきている。このため、可動部材の駆動機構を配設するスペースも小さくなってきているから、大きなサイズの駆動機構を配設することができないか、または配設することが困難となる。
【０００７】
さらに、可動部材の動作範囲を大きくすると、可動部材を駆動するための部材（たとえば、可動部材と、可動部材と動力源とを連結するリンク部材）の寸法が大きくなる。このため、可動部材が動作する際に、可動部材を駆動するための部材およびその動作が、遊技者の目に付きやすくなる。そうすると、可動部材の動作に対する興味が削がれ、遊技者の遊技に対する興味が持続しなくなるおそれがある。
【０００８】
一方、可動部材の動作態様のバリエーションを多くしようとすると、可動部材を駆動するための機構が複雑となることがある。たとえば、可動部材と動力源とを連結するリンク部材の数や、リンク部材どうしを連結する関節の数が多くなる。そうすると、可動部材がスムーズに動作しなくなり、その結果、遊技者の興味が削がれるおそれがある。また、リンク部材の数や関節の数が増加すると、可動部材の動作が一義的に確定せず、可動部材に所定の動作を行わせることができなくなるおそれがある。
【０００９】
このほか、可動部材による演出の効果を高めるため、可動部材に発光基板などを設け、遊技状況に応じて発光させる構成が適用されることがある。このような構成においては、可動部材と、可動部材を駆動するためのリンク部材との間に跨って電線を配索する必要がある。ただし、可動部材とリンク部材は、相対的に変位可能であるため、可動部材とリンク部材の間に跨って配索される電線が、可動部材のスムーズな動作を妨げるおそれがあるほか、可動部材の動作によって電線を損傷するおそれがある。
【先行技術文献】
【特許文献】
【００１０】
【特許文献１】特開２００３−１９０４０１号公報
【発明の概要】
【発明が解決しようとする課題】
【００１１】
上記実情に鑑み、本発明が解決しようとする課題は、可動部材を駆動する駆動機構が大型化することを防止もしくは抑制しつつ、可動部材の動作範囲を大きくできる遊技機を提供すること、または、可動部材を駆動する駆動機構が複雑化することを防止もしくは抑制しつつ、可動部材の動作態様のバリエーションを増やすことができる遊技機を提供することである。
【課題を解決するための手段】
【００１２】
前記課題を解決するため、本発明は、ベース部材と、それぞれの一端部を中心として前記ベース部材に対して揺動可能に支持される二つの第一の駆動部材と、二つの係合部が設けられ、前記二つの係合部の一方が前記二つの第一の駆動部材の一方の他端部に係合し、前記二つの係合部の他方が前記二つの第一の駆動部材の他方の他端部に係合する可動部材と、前記二つの第一の駆動部材のそれぞれを駆動する二つの駆動機構とを備え、前記二つの駆動機構のそれぞれは、前記ベース部材に対して変位可能な第二の駆動部材と、前記第二の駆動部材をベース部材に対して変位させる電気的動力源と、前記第一の駆動部材の所定の位置と前記第二の駆動部材とを連結するリンク部材とを備え、前記二つの第一の駆動部材の一方および前記二つの駆動機構の一方は前記可動部材の一側に配設され、前記各々の電気的動力源は単独あるいは双方の異なる或いは同期した動力に応じて前記二つの駆動機構および前記二つの第一の駆動部材を動かして、前記可動部材を動かすことを要旨とするものである。
【００１３】
前記二つの第一の駆動部材の一方および前記二つの駆動機構の一方と、前記二つの第一の駆動部材の他方および前記二つの駆動機構の他方とが、前記可動部材を略中心として略鏡面対称または鏡面対称に配設される構成であることが好ましい。
【００１４】
前記可動部材の前記二つの係合部の一方は、前記二つの第一の駆動部材の一方の他端部に揺動可能に係合し、前記可動部材の前記二つの係合部の他方は、前記二つの第一の駆動部材の他方の他端部に揺動可能でかつ前記揺動とは異なる移動可能に係合すること構成であっても良い。
【００１５】
前記可動部材の前記二つの係合部の一方は、前記二つの第一の駆動部材の一方の他端部に固定または回転可能にまたは変位可能に係合し、前記可動部材の前記二つの係合部の他方は、前記二つの第一の駆動部材の他方の他端部に変位可能に係合する構成であっても良い。
【００１６】
前記二つの第一の駆動部材の前記他方の前記先端部には穴部または凹部が設けられ、前記可動部材の前記二つの係合部の前記他方は、前記穴部または凹部に変位可能に係合する構成が適用できる。
【００１７】
前記可動部材には外部から供給される電力により動作する電気機器が設けられ、前記二つの第一の駆動部材の前記一方には、前記電気機器に電力を供給する電線が遊技者側から視認困難または視認不可能に配索される構成が適用できる。
【００１８】
前記電気機器は、発光素子が実装された発光基板が適用できる。
【００１９】
前記二つの駆動機構のそれぞれの前記動力源は、正逆回転動力を発生可能な電気的動力源であり、前記二つの駆動機構のそれぞれの前記第二の駆動部材は、前記電気的動力源に結合されて前記ベース部材に対して正逆回転する態様で変位可能である構成が適用できる。
【００２０】
図柄を表示可能な表示装置をさらに備え、前記二つの第一の駆動部材のそれぞれが揺動の範囲の一端である第一の位置に位置すると、前記可動部材は前記表示装置の前面側に重ならないまたは前記表示装置の少なくとも所定の一辺近傍にある退避位置に位置し、前記二つの第一の駆動部材のそれぞれが揺動の範囲の他端である第二の位置に位置すると、前記可動部材は前記表示装置の前面側に重なる重畳位置に位置し、前記第二の位置において、前記可動部材が可動する構成が適用できる。
【００２１】
前記二つの第一の駆動部材のそれぞれの前記一端部は、前記表示装置の所定の一辺または前記所定の一辺の延長線よりも外側に位置し、前記二つの第一の駆動部材のそれぞれが前記第一の位置に位置すると、前記所定の一辺または前記延長線から前記二つの第一の駆動部材のそれぞれの前記他端部までの距離が、前記所定の一辺または前記延長線から前記一端部までの距離よりも大きくなる構成が適用できる。
【００２２】
前記二つの第一の駆動部材のそれぞれは、前記一端部と前記他端部との中間位置において屈曲する屈曲部または湾曲する湾曲部を有する略棒状の部材であり、前記屈曲部または前記湾曲部の内側が前記表示装置側に向けて配設されるとともに、前記第一の位置に位置すると前記屈曲部または前記湾曲部と前記他端部との間の部分は前記表示装置の前面側に重ならず、前記第二の位置に位置すると前記部分の一部または全部が前記表示装置の前面側に重なる構成が適用できる。
【００２３】
前記二つの第一の駆動部材のそれぞれが前記一端部と前記屈曲部または前記湾曲部との間は、揺動の範囲のいずれの位置においても、前記表示装置の前面側に重ならない構成が適用できる。
【００２４】
前記二つの駆動部のそれぞれは、前記二つの第一の駆動部材のそれぞれの前記一端部と前記屈曲部または前記湾曲部との間の側方であって前記表示装置とは反対側の側方に配設される構成であることが好ましい。
【００２５】
前記二つの第一の駆動部材のそれぞれは、前記第一の位置に位置すると、前記屈曲部または前記湾曲部と前記他端部との間が、前記表示装置の外周の前記所定の一辺に所定の距離をおいて略平行となるとともに、前記一端部から前記屈曲部または前記湾曲部との間は前記所定の辺に対して所定の角度をもって傾斜し、前記第二の位置に位置すると、前記一端部から前記屈曲部または前記湾曲部との間は、前記所定の辺に対して略平行となる構成が適用できる。
【発明の効果】
【００２６】
本発明によれば、可動部材を駆動する駆動機構が大型化することを防止もしくは抑制しつつ、可動部材の動作範囲を大きくでき、可動部材の駆動する駆動機構が複雑化することを防止もしくは抑制しつつ、可動部材の動作態様のバリエーションを増やすことができる。
【００２７】
二つの第一の駆動部材の一方および二つの駆動機構の一方と、二つの第一の駆動部材の他方および二つの駆動機構の他方とが、可動部材を略中心として略鏡面対称に配設される構成であれば、二つの第一の駆動部材および二つの駆動機構の中間において、可動部材をほぼ直線状に往復動させることができる。
【００２８】
可動部材の二つの係合部の一方が、二つの第一の駆動部材の一方の他端に揺動可能に係合し、二つの係合部の他方が、二つの第一の駆動部材の他方の他端に揺動可能でかつ移動可能な構成であると、可動部材をスムーズに動作させることができる。
【００２９】
前記可動部材の前記二つの係合部の一方が、前記二つの第一の駆動部材の一方の他端部に固定または回転可能にまたは変位可能に係合し、前記可動部材の前記二つの係合部の他方が、前記二つの第一の駆動部材の他方の他端部に変位可能に係合する構成であると、可動部材をスムーズに動作させることができる。
【００３０】
二つの駆動機構のそれぞれの動力源として正逆回転動力を発生可能な回転動力源が適用される構成であり、第二の駆動部材が動力源に結合されてベース部材に対して正逆回転する態様で変位可能である構成であると、第一の駆動部材の往復動の範囲の制御が容易となる。このため、二つの第一の駆動部材の動作を制御することによって、可動部材に種々の動作を行わせることができる。
【００３１】
可動部材が第一の位置に位置すると、可動部材が表示装置の前面側に重ならないまたは表示装置の少なくとも所定の一辺近傍（＝所定の端部または外周縁の所定の一部）を覆うから、表示装置が表示する画像のほぼ全体または全体を見渡すことができる。すなわち、可動部材が表示装置の表示を妨げないようにできる。一方、可動部材が第二の位置に位置すると、可動部材は表示装置の前面側に重なる。このため、可動部材が第一の位置と第二の位置とを交互に往き来することにより、演出効果を高めることができる。
【００３２】
第一の駆動部材のそれぞれの一端部が、表示装置の所定の一辺または所定の一辺の延長線よりも外側に位置し、第一の駆動部材のそれぞれが第一の位置に位置する場合において、所定の一辺または延長線から第一の駆動部材のそれぞれの他端部までの距離が、所定の一辺または延長線から前記一端部までの距離よりも大きくなる構成であると、可動部材が第二の位置に位置すると、可動部材を表示装置の前面側で大きく動かすことができる（＝表示装置の前面側における可動部材の動作範囲を大きくすることができる）。
【００３３】
第一の駆動部材のそれぞれが、一端部と他端部との中間位置において屈曲する屈曲部または湾曲する湾曲部を有する略棒状の部材であり、屈曲部または湾曲部の内側（すなわち、谷側）が表示装置側に向けて配設される構成であると、可動部材が第一の位置に位置した場合に、第一の駆動部材が表示装置の前面側に重ならないようにできる。このため、第一の駆動部材が表示装置の表示を妨げることを抑制できる。
【００３４】
また、このような構成であると、可動部材が第二の位置に位置する場合においては、第一の駆動部材の屈曲部または湾曲部と他端部との間の部分のみが表示装置の前面側に重なり、一端部と屈曲部または前記湾曲部との間の部分は表示装置の前面側に重ならないようにできる。このため、第一の駆動部材のうち、表示装置の前面側に重なる部分を小さくできる。したがって、第一の駆動部材を目立たないようにでき、遊技者の可動部材の動作に対する興味が削がれないようにすることができる。
【００３５】
二つの駆動部のそれぞれが、二つの第一の駆動部材のそれぞれの一端部と屈曲部または湾曲部との間の側方であって表示装置とは反対側の側方に配設される構成であれば、表示装置の周辺のスペースの有効利用を図ることができる。換言すると、表示装置の外側の周辺のスペースが小さい場合であっても、可動部材が表示領域の前面側に重ならないようにすることができるとともに、駆動部材を配設するためのスペースを形成することができる。
【００３６】
第一の駆動部材のそれぞれが第一の位置に位置する場合において、屈曲部または湾曲部と他端部との間が、表示装置の外周の前記所定の一辺に所定の距離をおいて略平行となる構成であると、第一の駆動部材の屈曲部または湾曲部と他端部との間の部分を、確実に表示装置の前面側に重ならないようにできる。さらに、第一の駆動部材の屈曲部または湾曲部と他端部との間の部分を収容するために必要なスペースを小さくすることができる。このため、表示装置の外側のスペースが小さい場合であっても、第一の駆動部材を表示装置の前面側から退避させることができる。
【００３７】
そして、第一の駆動部材の一端部から屈曲部または湾曲部との間が、表示装置の所定の辺に対して所定の角度をもって傾斜する構成であると、当該傾斜した部分の外側に、駆動機構を配設することができる。すなわち、駆動機構を、表示装置に接近させて配設することができる。したがって、表示装置の外側のスペースが小さい場合であっても、駆動機構を配設することが可能なとなる。換言すると、第一の駆動部材の一端部から屈曲部または湾曲部との間が、表示装置の所定の辺に対して所定の角度をもって傾斜する構成とすることにより、表示装置の外側の直近に、駆動機構を配設するためのスペースを形成することができる。
【図面の簡単な説明】
【００３８】
【図１】本発明の実施形態にかかる遊技機の平面図であって、前面側から見た図である。
【図２】本発明の実施形態にかかる遊技機の平面図であって、背面側から見た図である。
【図３】本発明の実施形態にかかる遊技機の分解斜視図である。
【図４】遊技盤ユニットを前面側から見た平面図である。
【図５】遊技盤ユニットを前面側から見た平面図である。
【図６】演出装置の要部の構成を模式的に示した分解斜視図であり、前面側から見た図である。
【図７】演出装置の要部の構成を模式的に示した分解斜視図であり、背面側から見た図である。
【図８】二つのうちの一方の第一の駆動部材の構成を、模式的に示した外観斜視図であり、（ａ）は前面側から見た図、（ｂ）は背面側から見た図である。
【図９】二つのうちの他方の第一の駆動部材の構成を、模式的に示した外観斜視図であり、（ａ）は前面側から見た図、（ｂ）は背面側から見た図である。
【図１０】演出装置の動作を模式的に示した平面図（前面側から見た図）であり、第一の駆動部材が第一の位置にある状態を示す。
【図１１】演出装置の動作を模式的に示した平面図（背面側から見た図）であり、第一の駆動部材が第一の位置にある状態を示す。
【図１２】演出装置の動作を模式的に示した平面図（前面側から見た図）であり、第一の駆動部材が第二の位置にある状態を示す。
【図１３】演出装置の動作を模式的に示した平面図（背面側から見た図）であり、第一の駆動部材が第二の位置にある状態を示す。
【図１４】演出装置の動作を模式的に示した平面図（前面側から見た図）であり、可動部材が揺動する状態を示す。
【図１５】演出装置の動作を模式的に示した平面図（背面側から見た図）であり、可動部材が揺動する状態を示す。
【図１６】遊技盤ユニットにおける、演出装置と表示装置の位置関係を示した平面図であり、二つの第一の駆動部材のそれぞれが第一の位置にある状態を示す。
【図１７】遊技盤ユニットにおける、演出装置と表示装置の位置関係を示した平面図であり、二つの第一の駆動部材のそれぞれが第二の位置にある状態を示す。
【発明を実施するための形態】
【００３９】
以下に、本発明の実施形態について、図面を参照して詳細に説明する。本発明の実施形態にかかる遊技機９は、パチンコ遊技機である。
【００４０】
以下の説明において、本発明の実施形態にかかる遊技機９の「前面」とは、遊技者が遊技を行う側の面（＝遊技者が遊技を行うに際して対向する側の面）というものとし、「背面」とは、「前面」の反対側の面というものとする。本発明の実施形態にかかる遊技機９の「上」「下」「右」「左」は、特に断りのない限り、それぞれ、通常の設置態様（＝通常の使用態様）において、前面側から見た場合における向きをいうものとする。また、「奥行き」は、前後方向をいうものとする。なお、本発明の実施形態にかかる遊技機９を構成する各種の装置（後述する演出装置１を含む）や部材などについても同様とする。
【００４１】
まず、本発明の実施形態にかかる遊技機９の全体的な構成を、簡単に説明する。図１は、本発明の実施形態にかかる遊技機９の平面図であって、前面側から見た図である。図２は、本発明の実施形態にかかる遊技機の平面図であって、背面側から見た図である。図３は、本発明の実施形態にかかる遊技機９の分解斜視図である。
【００４２】
図１〜図３のそれぞれに示すように、本発明の実施形態にかかる遊技機９は、機枠９１（「基枠」、「外枠」、「本体枠」などと称することもある）と、遊技盤ユニット９５と、前面枠９２（「内枠」「機構枠」などと称することもある）と、ガラス枠９３と、下皿部材９４とを備える。そして、機枠９１、前面枠９２、ガラス枠９３、下皿部材９４、遊技盤ユニット９５には、それぞれ、所定の部材や所定の装置などが取り付けられる。さらに、機枠９１の一側の外面（たとえば、左側の外面）には、プリペイドカードユニット９６（図２と図３においては省略）が取り付けられることがある。
【００４３】
機枠９１は、開口部が形成される略額縁状の構造を有し、所定の奥行き方向の寸法を有する部材である。
【００４４】
前面枠９２は、開口部が形成される額縁状の部材である。この前面枠９２には、遊技盤ユニット９５を着脱可能に取り付けることができる。また、前面枠９２は、機枠９１に対して着脱可能で、かつ開閉可能に取り付けられる。具体的には、前面枠９２の一側（図１と図３においては、左側）が、機枠９１の一側に、ヒンジなどによって回転可能に連結され、機枠９１に対して開き戸のような態様で開閉できる。そして、前面枠９２が機枠９１に対して閉じられると、前面枠９２は、機枠９１の開口部の内側に収容された状態となる（なお、前面枠９２の一部は機枠９１の背面側にはみ出ることがある）。
【００４５】
図２に示すように、本発明の実施形態にかかる遊技機９（＝機枠９１や前面枠９２）には、枠用外部端子基板９０１、図柄制御基板９０２、主制御基板９０３、サブ制御基板（図略）、音声制御基板９０４、払出制御基板９０６、発射装置制御基板９０７、電源基板９０８などの各種基板が設けられる。さらに、カードインターフェース接続部９０９、球寄せ９１０、タンク９１１、タンクレール９１２、遊技球払出装置９１３、遊技球発射装置９１４などが設けられている。
【００４６】
ガラス枠９３は、前面枠９２の前面側に配設される部材である。ガラス枠９３には、透明板９３１（ガラス板など）と、スピーカ９３２と、上皿９３３と、電飾機器（図略）とが設けられる。ガラス枠９３は、前面枠９２に対して、開閉可能で、かつ着脱可能に取り付けられる。ガラス枠９３が前面枠９２に対して閉じられると、ガラス枠９３に設けられる透明板９３１が、前面枠９２に取り付けられた遊技盤ユニット９５の前面に位置する。このため、前面枠９２に取り付けられた遊技盤ユニット９５は、ガラス枠９３に設けられる透明板９３１を通じて、前面側から見ることができる。スピーカ９３２および電飾機器は、遊技中に作動して遊技を演出する。上皿９３３は、遊技球を貯留することができる。上皿９３３には、上皿操作部や、球貸し操作部や、遊技スイッチなどが設けられる。上皿操作部は、これを操作することにより、上皿９３３に貯留されている遊技球を、下皿部材９４の下皿９４１に流下させることができる。球貸し操作部は、これを操作することにより、貸出可能な貸し球を払い出すことができる。遊技スイッチは、遊技状況に応じて遊技者が操作することができるスイッチ類である。
【００４７】
下皿部材９４は、前面枠９２に対して開閉可能で、かつ着脱可能に取り付けられる部材である。そして、下皿部材９４は、ガラス枠９３の下方に設けられる。下皿９４１は、払い出された遊技球のうち、上皿９３３に入りきらない遊技球を貯めることができる。下皿部材９４には、下皿９４１や球抜き操作部などが設けられる。球抜き操作部は、これを操作することにより、下皿９４１に貯まった遊技球を、本発明の実施形態にかかる遊技機９の外部（たとえば、下皿９４１の下方に置かれた遊技球容器など）に流し落とすことができる。
【００４８】
なお、機枠９１、前面枠９２、ガラス枠９３、下皿部材９４、プリペイドカードユニット９６には、公知の構成が適用できる。また、これらの構成は特に限定されるものではない。したがって、これらの構成の詳細な説明は省略する。
【００４９】
次に、遊技盤ユニット９５について説明する。図４と図５は、遊技盤ユニット９５を前面側から見た平面図である。そして、図４は、演出装置１の可動部材１１が「退避位置」にある状態を示し、図５は、「重畳位置」にある状態を示す。
【００５０】
遊技盤ユニット９５は、演出装置１と、遊技盤９５１と、ケース体９５２（図４と図５においては隠れて見えない。図３を参照）と、表示装置９５３と、その他の所定の部材（図略）とを備える。そして、演出装置１がケース体９５２の前面側に組み付けられ、表示装置９５３がケース体９５２の背面側に組み付けられる。さらに、演出装置１と表示装置９５３が組み付けられたケース体９５２が、遊技盤９５１の背面側に組み付けられる。このため、演出装置１は、遊技盤９５１の背面側に設けられ、ケース体９５２に覆われる（＝ケース体９５２に収容される）構成となる。そして、表示装置９５３は、演出装置１の背面側に位置する。
【００５１】
遊技盤ユニット９５の演出装置１の構成の詳細は、次のとおりである。図６と図７は、演出装置１の要部の構成を模式的に示した分解斜視図である。それぞれ、図６は前面側から見た図、図７は背面側から見た図である。
【００５２】
演出装置１は、可動部材１１の動作（＝機械的な運動）と、可動部材１１に設けられる電気機器（＝発光基板１２）の動作とによって、本発明の実施形態にかかる遊技機９の遊技を演出することができる装置である。
【００５３】
図６と図７のそれぞれに示すように、演出装置１は、可動部材１１と、電気機器としての発光基板１２と、二つの第一の駆動部材１３ａ，１３ｂと、二組の駆動機構１４ａ，１４ｂと、ベース部材としての枠部材１５と、その他の所定の部材や機器などとを備える。
【００５４】
可動部材１１は、所定の態様で機械的な運動をすることができる部材である。発光基板１２は、光源１２１を備える基板であり、光源１２１が発光することによって、可動部材１１が発光しているように見せ掛けることができる。二つの第一の駆動部材１３ａ、１３ｂは、所定の態様で機械的な運動を行うことができる部材である。そして、それらの運動を可動部材１１に伝達することにより、可動部材１１を所定の態様で機械的な運動をさせることができる。二組の駆動機構１４ａ，１４ｂは、それぞれ、二つの第一の駆動部材１３ａ，１３ｂのそれぞれを所定の態様で機械的な運動をさせることができる機器である。枠部材１５は、演出装置１の筐体（または構体（＝body shell））となる部材である。
【００５５】
演出装置１の可動部材１１は、前面側および背面側から見て、上下方向および左右方向に拡がる平面内（＝前後方向に直角な平面内）を、所定の態様で機械的な運動ができる。具体的には、可動部材１１は、前記平面内を所定の方向に往復動すること、揺動すること（＝正逆方向に交互に所定の回転角度だけ回転すること）、揺動しながら往復動すること、ができる。説明の便宜上、可動部材１１の往復動可能な方向を、「第一の方向」と称し、「第一の方向」に直角な方向を「第二の方向」（ただし、前後方向に対しても直角な方向）と称する。図５と図６に示す演出装置１の可動部材１１は、上下方向に往復動できる構成を有する。すなわち、本発明の実施形態においては、上下方向が「第一の方向」となり、左右方向が「第二の方向」となる。
【００５６】
演出装置１の各部材や機器の構成の詳細は、次のとおりである。
【００５７】
可動部材１１は、二つの第一の駆動部材１３ａ，１３ｂに連結されるとともに、発光基板１２が組み付けられる部材である。可動部材１１は、図６や図７に示すように、シェル状または張り子状の部材であり、背面側が開放している構造を有する。そして、可動部材１１の背面側には、二つの係合部１１１ａ，１１１ｂと、所定の数の発光基板固定部１１２とが設けられる。二つの係合部１１１ａ，１１１ｂのそれぞれは、二つの第一の駆動部材１３ａ，１３ｂのそれぞれを連結できる部分である。発光基板固定部１１２は、発光基板１２を固定することができる構造物である。このように、可動部材１１には、その背面側に、二つの第一の駆動部材１３ａ，１３ｂを連結することができるとともに、発光基板１２を組み付けることができる。
【００５８】
なお、可動部材１１の形状や寸法は、特に限定されるものではない。また、可動部材１１の前面には所定の装飾が施されることがあるが、装飾の内容も限定されるものではない。これらは、本発明の実施形態にかかる遊技機９の種類や遊技内容などに応じて、適宜設定されるものである。
【００５９】
また、可動部材１１の少なくとも一部は透明または半透明に形成される。すなわち、可動部材１１の背面側に発光基板１２が組み付けられた状態においては、可動部材１１を前面側から見ると、発光基板１２は見えないが、発光基板１２に実装される光源が発する光は、可動部材１１を背面側から前面側に透過できる構成を有する。たとえば、可動部材１１は、所定の色に着色された透明または半透明の樹脂材料により形成される構成が適用できる。
【００６０】
二つの係合部１１１ａ，１１１ｂは、図７に示すように、可動部材１１の第二の方向の両端部または両端部近傍に設けられる。そして、二つの係合部１１１ａ，１１１ｂは、第二の方向に沿って並んで設けられる。また、二つの係合部１１１ａ，１１１ｂは、可動部材１１の第一の方向の略中心の位置に設けられる。たとえば、可動部材１１が、上下方向に往復動する（＝上下方向が「第一の方向」であり、左右方向が「第二の方向」である構成）場合には、可動部材１１を前面側および背面側から見ると、二つの係合部１１１ａ，１１ｂは、それぞれ、左右方向の両端近傍に位置する。そして、上下方向の略中心に位置する。すなわち、二つの係合部１１１ａ，１１１ｂは、第一の方向の略中心の位置において（ここでは、上下方向の略中心において）、第二の方向に並ぶ（ここでは、左右方向に並ぶ）。
【００６１】
二つの係合部１１１ａ，１１１ｂのそれぞれは、係合部材１１３によって、二つの第一の駆動部材１３ａ，１３ｂのそれぞれを連結できる。係合部材１１３は、図６と図７に示すように、略円盤状の部材で、軸線方向（＝前後方向）の一端側（後端側）にフランジが形成されるとともに、その略中心にはネジを挿入可能で前後方向に貫通する貫通孔が形成される。そして、係合部材１１３は、ネジ（図略）により、可動部材１１の係合部１１１ａ，１１１ｂに結合される。このため、可動部材１１の二つの係合部１１１ａ，１１１ｂのそれぞれには、各係合部材１１３を結合するためのネジ穴が形成される。
【００６２】
そして、一方の係合部１１１ａ（ここでは、前面側から見て左側の係合部１１１ａ）においては、一方の第一の駆動部材１３ａを、係合部１１１ａを中心として（＝係合部材１１３を中心として）揺動可能に連結できる。また、他方の係合部１１１ｂ（ここでは、前面側から見て右側の係合部１１１ｂ）においては、他方の第一の駆動部材１３ｂを、係合部１１１ｂを中心として（＝係合部材１１３を中心として）揺動可能で、かつ係合部１１１ｂ（＝係合部材１１３）と他方の第一の駆動部材１３ｂとが相対的に往復動可能に連結できる。
【００６３】
発光基板固定部１１２は、発光基板１２を、可動部材１１の背面側に固定するための構造物である。具体的には、発光基板固定部１１２には、発光基板１２を、可動部材１１の背面から所定の距離だけ離した状態であって（＝可動部材１１の背面から浮かせた状態であって）、可動部材１１の背面側から外部にはみ出さないように（＝シェルや張り子の内部に収まった状態に）固定することができる。発光基板固定部１１２には、図７に示すように、背面側に向かって突起するスペーサ（＝略円筒状の構造物）が適用できる。なお、発光基板固定部１１２の数や位置は、特に限定されるものではない。
【００６４】
発光基板１２は、外部から電力の供給を受けて動作する電気機器であり、その一方の面（＝前面）に光源１２１が実装された回路基板である。そして、光源１２１が発する光により、可動部材１１を装飾することができる（＝遊技を演出することができる）。また、発光基板１２の他方の面（＝背面）には、コネクタ類１２２が実装される。このコネクタ類１２２は、外部と発光基板１２とを電気的に接続するための電線（または電線束）１９１を接続する機能を有する。すなわち、発光基板１２は、光源１２１を発光させるための電力の供給を、コネクタ類１２２に接続された電線１９１を通じて受けることができる。
【００６５】
なお、発光基板１２に実装される光源１２１の種類、数、位置などは、特に限定されるものではない。同様に、発光基板１２に実装されるコネクタ類１２２の構成も限定されるものではない。従来公知の各種光源（各種ＬＥＤ）やコネクタ類が適用できる。また、コネクタ類１２２を用いずに電線１９１を結合する構成であってもよい。たとえば、発光基板１２１に形成される配線パターンや電極間ターンに電線１９１をハンダ付けし、発光基板１２から直接的に電線１９１を引き出す構成であってもよい。
【００６６】
図８は、二つのうちの一方の第一の駆動部材１３ａの構成を、模式的に示した外観斜視図である。図９は、二つのうちの他方の第一の駆動部材１３ｂの構成を、模式的に示した外観斜視図である。そして、図８と図９のそれぞれの（ａ）は、前面側から見た図、（ｂ）は、背面側から見た図である。
【００６７】
図６〜図９のそれぞれに示すように、二つの第一の駆動部材１３ａ，１３ｂは、いずれも、略棒状の部材である。そして長手方向の一方の端部が、枠部材１５に揺動可能に組み付けられ、他方の端部は、可動部材１１が連結される。そして、二つの第一の駆動部材１３ａ，１３ｂが、前記一方の端部を中心として揺動することにより、他方の端部に連結された可動部材１１が、往復動や揺動などの所定の動作を行うことができる。なお、説明の便宜上、枠部材１５に揺動可能に組み付けられる側の端部（＝前記一方の端部）を「基端部」と称する。また、可動部材１１が連結される側の端部（＝前記他方の端部）を「先端部」と称する。
【００６８】
二つの第一の駆動部材１３ａ，１３ｂには、曲がり部１３１と、軸受け部１３２と、リンク部材係合部１３３と、可動部材係合部１３４ａ，１３４ｂとが設けられる。
【００６９】
曲がり部１３１は、第一の駆動部材１３ａ，１３ｂの基端部と先端部の間において、軸線（＝中心線）が屈曲または湾曲している部分である。図６〜図９においては、軸線が屈曲する構成を示すが、軸線が湾曲する構成であってもよい。ただし、曲がり部１３１以外の部分の軸線は、略直線に形成される。このため、二つの第一の駆動部材１３ａ，１３ｂは、前面側または背面側から見ると、略「（平仮名または片仮名の）へ」の字形状や、略「（平仮名の）く」の字形状を有する。すなわち、基端部と曲がり部１３１との間の軸線と、曲がり部１３１と先端部との間の軸線は、平行ではなく、所定の角度を有している（＝互いに、一方が他方に対して所定の角度をもって傾斜している）。
【００７０】
なお、二つの第一の駆動部材１３ａ，１３ｂは、上方および下方から見ると（正確には、前後方向に対して直角な方向から見ると）、略直線となる。すなわち、二つの第一の駆動部材１３ａ，１３ｂは、前後方向には屈曲または湾曲していない構成を有する。
【００７１】
説明の便宜上、二つの第一の駆動部材１３ａ，１３ｂのそれぞれについて、基端部と曲がり部１３１との間の部分を「第一の部分１３５」と称し、曲がり部１３１と先端部の間の部分を「第二の部分１３６」と称する。
【００７２】
一方の第一の駆動部材１３ａ（ここでは、前面側から見て左側に位置する第一の駆動部材１３ａ）は、枠部材１５と可動部材１１との間に架設される電線１９１を収容可能な構成を有する。具体的には、図８（ｂ）に示すように、一方の第一の駆動部材１３ａの背面側には、基端部と先端部との間にかけて、電線１９１を収容可能な凹部１３７（＝軸線方向に沿って延伸する溝）が形成される。このため、一方の第一の駆動部材１３ａは、軸線方向に対して直角な方向で切断した場合の断面形状は、略「コ」の字形状となる。すなわち、一方の第一の駆動部材１３ａは、軸線方向に沿って延伸する底部１３７１と、底部１３７１の両側方に設けられる側壁１３７２とを有する。そして、底部１３７１が前面側に位置し、側壁１３７２が背面側に向かって起立する構成を有する。
【００７３】
他方の第一の駆動部材１３ｂ（＝前面側から見て右側に位置する第一の駆動部材１３ｂ）は、電線１９１を収容可能な構成である必要はなく、その内部構造は特に限定されるものではない。たとえば、一方の第一の駆動部材１３ａと同様に、底部１３７１と側壁１３７２とを備える構成であっても良く、中実の構成（＝背面に凹部などが形成されない構成）であってもよい。ここでは、図９（ｂ）に示すように、他方の第一の駆動部材１３ｂが、一方の第一の駆動部材１３ａと略同じ構成を有するものとする。
【００７４】
なお、二つの第一の駆動部材１３ａ，１３ｂの断面形状は、特に限定されるものではない。たとえば、図６〜図９に示すように、断面略方形であっても良く、断面略半円形であっても良い。
【００７５】
軸受け部１３２は、軸部材１９２と軸受け部材１９３と押さえ部材１９４とにより、枠部材１５に揺動可能に組み付けられる部分である。図６〜図９に示すように、軸受け部１３２は、基端部に設けられ、背面側に突起する略筒状の構造を有する。軸受け部１３２には、前面側と背面側とを連通し（軸線が前後方向を向き）、断面形状が円形の貫通孔が形成される。軸受け部１３２の貫通孔の軸線と、基端部と先端部との間の軸線との角度は略直角である。このため、二つの第一の駆動部材１３ａ，１３ｂは、上方または下方から見ると、略「Ｌ」字形状を有する。
【００７６】
リンク部材係合部１３３は、駆動機構１４ａ，１４ｂのリンク部材１４３（後述）を揺動可能（換言すると回転可能に）に連結できる部分である。すなわち、第一の駆動部材１３ａ，１３ｂとリンク部材１４３とは、リンク部材係合部１３３において、第一の連結ピン１９５（＝円柱状の部材）により相対的に揺動可能に連結される。図６〜図９に示すように、リンク部材係合部１３３は、第一の部分１３５の曲がり部１３１の近傍に、曲がり部１３１の湾曲または屈曲の外側に設けられる。
【００７７】
なお、リンク部材係合部１３３の形状や寸法は、特に限定されるものではないが、たとえば、次のような構成が適用できる。リンク部材係合部１３３は、板状またはブロック状の構造物であり、その前面は略平面に形成される。そして、リンク部材係合部１３３の前面と、第一の部分１３５の前面とは、段差面となっている。すなわち、リンク部材係合部１３３の前面は、第一の駆動部材１３ａ，１３ｂの第一の部分１３５の前面よりも背面側に位置する。そして、リンク部材係合部１３３には、第一の連結ピン１９５を挿入可能な貫通孔が形成される。この貫通孔は、前面側と背面側とを連通する（＝軸線方向が前後方向を向く）貫通孔であり、断面形状は略円形である。
【００７８】
可動部材係合部１３４ａ，１３４ｂは、先端部に設けられる。図６〜図９に示すように、一方の第一の駆動部材１３ａの可動部材係合部１３４ａと、他方の第一の駆動部材１３ｂの可動部材係合部１３４ｂとは構成が相違する。
【００７９】
一方の第一の駆動部材１３ａ（＝前面側から見て左側に位置する第一の駆動部材１３ａ）の可動部材係合部１３４ａは、可動部材１１に設けられる一方の係合部１１１ａに、係合部材１１３によって揺動可能に連結できる構成を有する。具体的には、図８に示すように、可動部材係合部１３４ａには、段差面１３４１ａと係合孔１３４２ａとが形成される。段差面１３４１ａは、他の部分（＝側壁１３７２）よりも前後方向寸法が小さい部分である。そして、可動部材係合部１３４ａの段差面１３４１ａは、その他の部分の背面（＝側壁１３７２の背面側端部）よりも前面側に位置している。係合孔１３４２ａは、係合部材１１３を係合可能な貫通孔である。係合孔１３４２ａは、段差面１３４１ａに形成される。係合孔１３４２ａは、前後方向に貫通する貫通孔であり、断面形状は略円形である。係合孔１３４２ａの内径は、係合部材１１３の前面側の部分（＝フランジ以外の部分）を遊挿可能で、背面側の部分（＝フランジが形成される部分）を挿入不可能な径に設定される。
【００８０】
このような構成によれば、一方の第一の駆動部材１３ａと係合部材１１３とは、係合部材１１３の前面側の部分が一方の第一の駆動部材１３ａの可動部材係合部１３４ａの係合孔１３４２ａに係合した状態において、相対的に回転できる。このため、一方の第一の駆動部材１３ａと、係合部材１１３が組み付けられた可動部材１１とは、可動部材係合部１３４ａを中心として（＝可動部材１１の一方の係合部１１１ａを中心として、または、係合部材１１３を中心として）、相対的に回転可能（＝揺動可能）に連結される。
【００８１】
両側の側壁１３７２のうちの一方と、可動部材係合部１３４ａとの間には、電線１９１を通すことができる隙間（または切り欠きなど）１３４３が設けられる。このため、この隙間１３４３を通じて、一方の第一の駆動部材１３ａの内部と外部との間で電線を跨がせることができる。すなわち、電線１９１を、この隙間１３４３に通すことにより、一方の第一の駆動部材１３ａの背面側にはみ出さないようにして、可動部材１１と第一の駆動部材１３ａとの間に電線１９１を架け渡すことができる。
【００８２】
さらに、一方の第一の駆動部材１３ａには、電線１９１を係止できる係止部１３４４が設けられる。係止部１３４４は、電線１９１を係止することにより、電線１９１が第一の駆動部材１３ａからはみ出さないように（特に、背面側にはみ出さないように）することができる。なお、係止部１３４４は、一方の第一の駆動部材１３ａに一体に形成される構成であってもよく、別部材を組み付ける構成であってもよい。要は、内側に収容され電線１９１が外側にはみ出さないようにできる構成を有していればよい。
【００８３】
他方の第一の駆動部材１３ｂの可動部材係合部１３４ｂは、可動部材１１に設けられる他方の係合部１１１ｂに連結できる構成を有する。連結には、係合部材１１３が用いられる。そして、他方の第一の駆動部材１３ｂと可動部材１１とは、係合部材１１３により、相対的に往復動可能で、かつ、可動部材係合部１３４ｂを中心として（＝他方の係合部１１１ｂを中心として）揺動可能に連結される。
【００８４】
具体的には、図９に示すように、可動部材係合部１３４ｂには、段差面１３４１ｂと係合孔１３４２ｂとが形成される。段差面１３４１ｂは、他の部分（＝側壁１３７２）よりも前後方向寸法が小さい部分である。そして、可動部材係合部１３４ｂの段差面１３４１ｂは、その他の部分の背面（＝側壁１３７２の背面側端部）よりも前面側に位置している。係合孔１３４２ｂは、係合部材１１３を係合可能な貫通孔である。係合孔１３４２ｂは、段差面１３４１ｂに形成される。係合孔１４３２ｂは、前後方向に貫通する長孔状の貫通孔である。そして、長孔の軸線方向は、第二の部分の軸線方向に略平行である。係合孔１３４２ａの幅（＝軸線に対して直角な方向の寸法）は、係合部材１１３の前面側の部分（＝フランジ以外の部分）を遊挿可能で、係合部材１１３３の背面側の部分（＝フランジ）を挿入不可能な寸法に設定される。
【００８５】
このような構成によれば、他方の第一の駆動部材１３ｂと、係合部材１１３とは、係合部材１１３の前面側の部分（＝フランジ以外の部分）が、他方の第一の駆動部材１３ｂの可動部材係合部１３４ｂの係合孔１３４２ｂに係合する。このため、相対的に回転できる。さらに、係合孔１３４２ｂの長手方向に沿って相対的に往復動できる（＝変位できる）。したがって、他方の第一の駆動部材１３ｂと、係合部材１１３が組み付けられた可動部材１１とは、相対的に変位可能（具体的には、前後方向に直角な平面内を相対的に変位可能に）で、かつ、可動部材係合部１３４ｂを中心として（＝可動部材１１の他方の係合部１１１ｂを中心として、または、係合部材１１３を中心として）、相対的に回転可能（＝揺動可能）に連結される。
【００８６】
そして、図６〜図９に示すように（特に、図６と図７に示すように）、二つの第一の駆動部材１３ａ，１３ｂは、前面側または背面側から見ると、全体として互いに略線対称（＝略鏡面対称）の形状を有する。
【００８７】
なお、前記実施形態においては、二つの第一の駆動部材１３ａ，１３ｂの可動部材係合部１３４ａ，１３４ｂに係合孔（＝貫通孔）が形成される構成を示したが、このような構成に限定されるものではない。たとえば、貫通孔ではなく、凹部が形成される構成であっても良い。すなわち、可動部材１１の二つの係合部１１１ａ，１１１ｂが、背面側に突起する柱状の構造物であり、この係合部１１１ａ，１１１ｂとしての柱状の構造物が、凹部に嵌り込む（遊嵌する）構成であっても良い。
【００８８】
さらに、前記説明においては、一方の第一の駆動部材１３ａの可動部材係合部１３４ａには、略円形の係合孔１３４２ａが形成され、他方の第一の駆動部材１３ｂの可動部材係合部１３４ｂには、長孔状の係合孔１３４２ｂが形成される構成を示したが、両方の第一の駆動部材１３ａ，１３ｂの可動部材係合部１３４ａ，１３４ｂに、略長孔状の係合孔が形成される構成であっても良い。
【００８９】
二組の駆動機構１４ａ，１４ｂは、それぞれ、電気的動力源１４１と、第二の駆動部材１４２と、リンク部材１４３と、位置検出手段１４４と、その他所定の部材とを備える。そして、電気的動力源１４１が発生させた動力（＝機械的運動）を、第二の駆動部材１４２とリンク部材１４３とを通じて、第一の駆動部材１３ａ，１３ｂに伝達することができ、第一の駆動部材１３ａ，１３ｂを所定の態様で機械的な運動をさせることができる。
【００９０】
電気的動力源１４１には、電力により正逆回転可能であり、回転量（＝回転角度）を制御可能な回転動力源が適用される。たとえば、公知の各種サーボモータなどが適用される。なお、電気的動力源１４１の種類は限定されるものではなく、公知の各種モータが適用できる。したがって、説明は省略する。二つの駆動機構１４ａ，１４ｂの電気的動力源１４１は、同期して動作することができるとともに、それぞれ独立して動作することもできる。
【００９１】
第二の駆動部材１４２は、電気的動力源１４１が発生させた動力によって機械的運動を行う部材である。図６と図７に示すように、第二の駆動部材１４２は、略棒状の部材であり、軸部１４２１と、リンク部材係合部１４２２と、被検出部１４２３とが設けられる。
【００９２】
軸部１４２１は、第二の駆動部材１４２の一方の端部に設けられる。軸部１４２１は、電気的動力源１４１の動力出力部材（動力源が発生させた動力を外部に出力するための部材。モータであれば回転軸）に結合されるとともに、カバー部材の軸受け部に支持される部分である。このため、軸部の背面側には、電気的動力源１４１の動力出力部材を嵌合可能な軸穴が形成される。一方軸部の前面側には、前面側に向かって突起する略円柱状の構造物が形成される。
【００９３】
リンク部材係合部１４２２は、一方の端部と他方の端部との間に設けられる。リンク部材係合部１４２２は、リンク部材１４３を、第二の連結ピン１９６（＝略円柱状の部材）によって揺動可能に連結できる部分である。具体的には、リンク部材係合部１４２２には、第二の連結ピン１９６を挿入可能な挿入孔が形成される。この挿入孔は、断面形状が略円形であり、前面側から背面側に貫通する貫通孔（軸線が前後方向を向く貫通孔）である。このため、第二の駆動部材１４２とリンク部材１４３とが第二の連結ピン１９６によって連結されると、第二の駆動部材１４２とリンク部材１４３とは、第二の連結ピン１９６（＝第二の連結ピン１９６の軸線）を中心として相対的に揺動することができる。
【００９４】
被検出部１４２３は、第二の駆動部材１４２の他方の端部に設けられる。被検出部１４２３は、位置検出手段１４４により検出される部分である。被検出部１４２３は、たとえば、他方の端部から軸線方向に対して直角な方向に突出する構造物である。被検出部１４２３がこのような構成を有すると、第二の駆動部材１４２は、前面側または背面側から見ると、略「Ｌ」字形状を有する。なお、被検出部１４２３は、位置検出手段１４４により検出可能な構成であればよく、具体的な構成は限定されるものではない。また、形成される位置も、他方の端部に限定されるものではない。
【００９５】
なお、一方の駆動機構１４ａの第二の駆動部材１４２と、他方の駆動機構１４ｂの第二の駆動部材１４２とは、前面側および背面側から見て、互いに略線対称（＝略鏡面対称）の形状を有する。
【００９６】
リンク部材１４３は、第二の駆動部材１４２の機械的運動を、第一の駆動部材１３ａ，１３ｂに伝達する部材である。図５と図６のそれぞれに示すように、リンク部材１４３は、略棒状の部材である。そして、長手方向（＝軸線方向）の一方の端部には、第一の連結ピン１９５を挿入可能な挿入孔が形成され、他方の端部には、第二の連結ピン１９６を挿入可能な挿入孔が形成される。これらの挿入孔は、断面形状が略円形で、前後方向に貫通する貫通孔である。このため、リンク部材１４３の一方の端部と、第一の駆動部材１３ａ，１３ｂのリンク部材係合部１３４ａ，１３４ｂとを、第一の連結ピン１９５によって、相対的に揺動可能に連結することができる。同様に、リンク部材１４３の他方の端部と、第二の駆動部材１４２のリンク部材係合部１４２２とを、第二の連結ピン１９６によって相対的に揺動可能に連結することができる。
【００９７】
位置検出手段１４４は、第二の駆動部材１４２の被検出部１４２３を検出することができる機器である。そして、第二の駆動部材１４２の被検出部１４２３を検出することにより、可動部材１１の位置を検出することができる。位置検出手段１４４には、公知の各種センサが適用できる。たとえば光学的なセンサが適用できる。すなわち、図６と図７に示すように、位置検出手段１４４は、発光素子と受光素子とが所定の間隔をおいて対向して配設され、発光素子が発した光を受光素子で受光できる構成を有する。このような構成であると、発光素子と受光素子との間に第二の駆動部材１４２の被検出部１４２３が入り込むと、受光素子は発光素子が発した光を受光できなくなる。したがって、位置検出手段１４４は、第二の駆動部材１４２の被検出部１４２３が、発光素子と受光素子の間に入り込んでいること（＝入り込んでいる位置にあること）を検出できる。
【００９８】
二つのカバー部材１６は、二つの駆動機構１４ａ，１４ｂのそれぞれを保護する機能と、二つの第一の駆動部材１３ａ，１３ｂのそれぞれをガイドする機能と、二つの第二の駆動部材１４２のそれぞれを支持する機能とを有する。カバー部材１６は、略平板状の部材であり、その背面側には、ガイド部１６１と軸受け部１６２とが設けられる。
【００９９】
ガイド部１６１は、第一の駆動部材１３ａ，１３ｂの運動をガイドする機能を有する構造物である。ガイド部１６１は、背面側に向かって突起し、所定の方向に沿って延伸する凸状の構造物である。そしてガイド部１６１は、カバー部材１６が枠部材１５に組み付けられた状態において、第一の駆動部材１３ａ，１３ｂの前面側に位置する。このため、ガイド部１６１は、第一の駆動部材１３ａ，１３ｂが前面側に傾斜しないようにガイドすることができる。
【０１００】
軸受け部１６２は、第二の駆動部材１４２の軸部１４２１を回転可能に支持する機能を有する。軸受け部１６２は、背面側に突起する略円筒状の構造物である。このような構成によれば、カバー部材１６が枠部材１５に組み付けられると、第二の駆動部材１４２の軸部１４２１が、カバー部材１６の軸受け部１６２に係合する（＝入り込む）。このため、軸受け部１６２は、第二の駆動部材１４２の軸部１４２１を、回転可能に支持することができる。
【０１０１】
枠部材１５は、演出装置１の筐体または構体となる部材である。枠部材１５には、配置面１５１と、第一の規制部１５２と、第二の規制部１５３と、軸受け部１５４と、カバー部材固定部１５５と、動力源配設部１５６と、位置検出手段配設部１５７と、干渉防止穴１５８とが設けられる。
【０１０２】
配置面１５１は、第一の駆動部材１３ａ、１３ｂや可動部材１１が配設される面である。そして、第一の駆動部材１３ａ，１３ｂや可動部材１１は、配置面１５１の前面側において所定の態様で機械的な運動を行うことができる。配置面１５１は前面側を向く面であり、略平面に形成される。すなわち、配置面１５１は、前後方向に対して略直角な平面である。配置面１５１の形状（換言すると、枠部材１５を前面側から見た形状）は特に限定されるものではないが、たとえば、図６と図７に示すように、第二の方向（ここでは、左右方向）に長い略四辺形（略長方形）に形成される。
【０１０３】
第一の規制部１５２は、第一の駆動部材１３ａ，１３ｂの運動の範囲を規制する構造物である。第二の規制部１５３は、第二の駆動部材１４２の運動の範囲を規制する構造物である。第一の規制部１５２と第二の規制部１５３は、それぞれ、所定の位置に設けられる。なお、これらの所定の位置については後述する。第一の規制部１５２と第二の規制部１５３は、前面側に突起する構造物であり、第一の駆動部材１３ａ，１３ｂまたは第二の駆動部材１４２が当接することにより、それぞれの運動の範囲を規制することができる。
【０１０４】
軸受け部１５４は、軸部材１９２と、軸受け部材１９３と、押さえ部材１９４とにより、第一の駆動部材１３ａ，１３ｂの基端部を揺動可能に支持する部分である。図６と図７に示すように、軸受け部１５４は、第二の方向（ここでは、左右方向）の両端部であって、第一の方向の一方の端部近傍（ここでは、上端部近傍）に設けられる。すなわち、枠部材１５を前面から見て四辺形に見たてると、軸受け部１５４は、四辺形の四隅のうちの隣接する二箇所（＝対角ではない二箇所）であって、第二の方向に延伸する辺の一方（ここでは、上辺）の両端部近傍に設けられる。
【０１０５】
軸受け部１５４は、配置面１５１よりも背面側に位置し、前面側に向かって突起する略円筒状の構造物が形成される部分である。軸受け部１５４に形成される略円筒状の構造物の底面には、前後方向に貫通する貫通孔が形成される。この構造物は、軸部材１９２（略円柱状の部材で、軸線方向の両端面には軸線方向に沿ったネジ孔が形成される）の軸線方向の一端を挿入して固定可能な構造物である。すなわち、軸受け部１５４において、軸部材１９２をその軸線が前後方向に平行で、この構造物から前面側に向かって突起するように固定することができる。さらに軸受け部１５４には、押さえ部材１９４を枠部材１５に固定（＝ネジ止め）するための構造物が設けられる。この構造物は、配置面１５１から前面側に向かって突起する柱状または筒状の構造物が適用される。
【０１０６】
カバー部材固定部１５５は、カバー部材１６を、駆動機構１４ａ，１４ｂの前面側に、配置面１５１から所定の距離だけ離れた状態で（＝浮かせた状態で）固定することができる構造物である。なお、カバー部材固定部１５５は、第一の駆動部材１３ａ，１３ｂなどの動作を妨げない構成であれば良く、具体的な構成（形状、寸法、位置、数など）は限定されるものではない。たとえば、図５に示すように、配置面１５１から前面側に向かって突起し、ネジを固定可能な柱状または筒状の構造物が適用できる。
【０１０７】
動力源配設部１５６は、電気的動力源１４１を配設して固定することができる部分である。具体的には、動力源配設部１５６は、電気的動力源１４１の本体部を配置面１５１よりも背面側に設け、電気的動力源１４１の動力出力部材が前面側を向くように配設できる構成であればよい。すなわち、動力源配設部１５６は、第一の駆動部材１３ａ，１３ｂ、第二の駆動部材１４２、リンク部材１４３などが運動する平面内に設けられない構成であれば良く、好ましくは、その背面側に設けられる構成が適用される。動力源配設部１５６は、たとえば、配置面１５１に形成され、電気的動力源１４１の形状および寸法に応じた形状および寸法を有する凹部や切り欠きや開口部であり、当該凹部や切り欠きや開口部に電気的動力源１４１の本体部を嵌め込んで固定できる構成が適用できる。
【０１０８】
位置検出手段配設部１５７は、位置検出手段１４４を配設して固定できる部分である。具体的には、位置検出手段配設部１５７は、位置検出手段１４４の本体部を、配置面１５１の背面側に配設でき（＝配置面１５１の前面側に突出しないように配設でき）、第二の駆動部材１４２の被検出部１４２３を検出する部分（いわゆるセンサの部分）のみを、配置面１５１の前面側に設けることができる構成であればよい。たとえば、配置面１５１の背面側に、位置検出手段１４４の本体部を嵌め込み可能な枠が形成されるとともに、配置面１５１に前後方向に貫通する貫通孔が形成される構成が適用できる。このような構成によれば、位置検出手段１４４の本体部を配置面１５１の背面側に配設し、センサの部分を貫通孔を通じて配置面１５１の前面側に突出させることができる。
【０１０９】
そして、図６と図７のそれぞれに示すように、軸受け部１５４と、動力源配設部１５６と、位置検出手段配設部１５７とは、第二の方向のそれぞれの端部に設けられ、略直列に並ぶように形成される。すなわち、図６と図７に示すように、配置面１５１を前面側から見て略四辺形と見なした場合において、第二の方向の両側の辺（ここでは、左右両側の二辺）のそれぞれに、軸受け部１５４と、動力源配設部１５６と、位置検出手段配設部１５７とが、前記記載の順序で並ぶように設けられる。
【０１１０】
また、配置面１５１には、干渉防止穴１５８が形成される。干渉防止穴１５８は、第一の駆動部材１３ａ，１３ｂなどが運動する際に、載置面１５１と第一の連結ピン１９５や第二の連結ピン１９６などとの物理的な干渉を防止するために形成される穴である。干渉防止穴１５８には、配置面１５１から背面側に貫通する貫通孔、または背面側に窪んだ凹部が適用できる。干渉防止穴１５８の寸法、形状、位置は、第一の連結ピン１９５や第二の連結ピン１９６の位置や運動の軌跡に応じて設定される。
【０１１１】
このほか、枠部材１５には、所定の回路基板１９８を取り付けるための構造物や、枠部材１５を遊技盤９５１に取り付けるための（＝演出装置１を遊技盤９５１に取り付けるための）構造物が設けられる。これらの構造物の構成は特に限定されるものではない。このためこれらの構造物の構成の説明は省略する。なお、枠部材１５の寸法および形状（特に、配置面１５１の寸法および形状）は、特に限定されるものではなく、演出装置１が配設される領域の寸法および形状に応じて適宜設定される。ただし、二つの軸受け部１５４の間の距離は、表示装置９６の外周の所定の辺の長さ（後述）よりも長い距離となるように設定される。
【０１１２】
演出装置１の組み付け構造は、次のとおりである。図６〜図９を参照して説明する。
【０１１３】
二つの電気的動力源１４１のそれぞれは、枠部材１５の動力源配設部１５６に配設されて固定される。具体的には、電気的動力源１４１の本体（＝筐体）が枠部材の前面部よりも背面側に位置し、電気的動力源１４１の動力出力部材が前面部から前面側に突出する態様で配設される。電気的動力源１４１としてモータが適用される場合には、モータの回転軸の軸線が配置面１５１に対して直角となるように配設される。
【０１１４】
二つの位置検出手段１４４のそれぞれは、枠部材１５の位置検出手段配設部１５７に配設されて固定される。具体的には、位置検出手段１４４の本体（＝筐体）が、枠部材１５の配置面１５１の背面側に配設され、第二の駆動部材１４２の被検出部１４２３を検出する部分（光学式に検出する構成であれば、受光素子と発光素子）が、配置面１５１の前面側に突出するように配設される。
【０１１５】
一方の第一の駆動部材１３ａの凹部１３７には、電線１９１が収容される。収容された電線１９１は、係止部１３４４に係止することにより、凹部１３７からはみ出たり抜け出たりしなくなる。
【０１１６】
二つの第一の駆動部材１３ａ，１３ｂの基端部（＝軸受け部１３２）は、軸部材１９２と軸受け部材１９３と押さえ部材１９４とにより、枠部材１５の軸受け部１５４に揺動可能に組み付けられる。
【０１１７】
軸部材１９２は、略円柱状の部材であり、その両端面には、軸線方向に沿ったネジ孔が形成される。軸受け部材１９３は、貫通孔が形成される略円筒状の部材であり、軸線方向の一端の外周面にはフランジが形成される。軸受け部材１９３の外径は、第一の駆動部材１３ａ，１３ｂの軸受け部１３２に形成される貫通孔に挿入可能な寸法に設定される。ただし、フランジは、第一の駆動部材１３ａ，１３ｂの軸受け部１３２に形成される貫通孔に挿入不可能な寸法を有する。一方、軸受け部材１９３に形成される貫通孔の内径は、軸部材１９２を挿通可能な寸法に設定される。
【０１１８】
押さえ部材１９４は、略板状の部分と、この略板状の部分から背面側に突起する軸部材受け部１９４１とを有する。軸部材受け部１９４１は、略円筒状の構造物であり、その外径は、第一の駆動部材１３ａ，１３ｂの軸受け部１３２に形成にされる貫通孔に挿入可能な寸法に設定され、その内径は、軸部材の端部を挿入可能な寸法に設定される。そして、略板状の部分であって筒状の部分の底面に相当する部分には、ネジを挿通可能な貫通孔（前後方向に貫通する貫通孔）が形成される。さらに、略板状の部分であって円筒状の部分の外側にも、ネジを挿通可能な貫通孔（前後方向に貫通する貫通孔）が形成される。
【０１１９】
軸部材１９２の一方の端部が枠部材１５の軸受け部１５４に設けられる略円筒状の部分に挿入され、その状態でネジ（図略）により枠部材１５に固定される。固定された軸部材１９２には、軸受け部材１９３が、フランジが形成される側の端部が背面側に位置するように嵌められる。そして、第一の駆動部材１３ａ，１３ｂの軸受け部１３２が、軸部材１９２に遊挿された軸受け部材１９３に係合させられる。すなわち、軸受け部材１９３のフランジ以外の部分が、第一の駆動部材１３ａ，１３ｂの軸受け部１３２に形成される貫通孔の内部に、背面側から入り込む。
【０１２０】
さらに、第一の駆動部材１３ａ，１３ｂの軸受け部１３２の前面側には、押さえ部材１９４が配設される。具体的には、押さえ部材１９４の軸部材受け部１９４１が、第一の駆動部材１３ａ，１３ｂの軸受け部１３２に形成される貫通孔に、前面側から入り込む。そうすると、押さえ部材１９４の軸部材受け部１９４１の内部（＝円筒の内部）に、軸部材１９２の他の一端が入り込む。そして、押さえ部材１９４と軸部材１９２とはネジにより結合される。さらに、押さえ部材１９４は、別のネジにより枠部材１５に固定される。
【０１２１】
このような構成によれば、第一の駆動部材１３ａ，１３ｂの軸受け部１３２は、軸受け部材１９３と押さえ部材１９４の軸部材受け部１９４１とに、揺動可能（＝回転可能）に係合する。そして、第一の駆動部材１３ａ，１３ｂの第一の部分１３５および第二の部分１３６は、枠部材１５の配置面１５１の前面側に位置する。このため、第一の駆動部材１３ａ，１３ｂの第一の部分１３５および第二の部分１３６は、枠部材１５の配置面１５１に平行な面内を、基端部（＝軸受け部１３２）を中心として揺動すること（＝他の構造物と干渉しなければ回転すること）ができる。
【０１２２】
なお、前記構成は一例であり、本発明は前記構成に限定されるものではない。要は、第一の駆動部材１３ａ，１３ｂが、基端部（＝軸受け部１３２）を中心として、枠部材１５に対して揺動可能に組み付けられる構成であればよい。
【０１２３】
二つの第一の駆動部材１３ａ，１３ｂの先端部（＝可動部材係合部１３４ａ，１３４ｂ）には、可動部材１１の係合部１１１ａ，１１１ｂが、係合部材１１３を用いて連結される。具体的には、二つの係合部材１１３のそれぞれが、二つの第一の駆動部材１３ａ，１３ｂの可動部材係合部１３４ａ，１３４ｂの係合孔１３４２ａ、１３４２ｂに背面側から挿入され、ネジにより可動部材１１の係合部１１１ａ，１１１ｂに固定される。
【０１２４】
このため、一方の第一の駆動部材１３ａと可動部材１１は、一方の係合部材１１３と中心として互いに揺動可能に連結する。また、他方の第一の駆動部材１３ｂと可動部材１１とは、係合部材１１３を中心として揺動可能に連結する。さらに、他方の第一の駆動部材１３ｂの可動部材係合部１３４ｂの係合孔１３４２ｂは長孔であるから、係合部材１１３は係合孔１３４２ｂの内部をその軸線方向に沿って往復動できる。したがって、他方の第一の駆動部材１３ｂと可動部材１１とは、相対的に揺動可能で、かつ往復動可能に連結する。
【０１２５】
また、一方の第一の駆動部材１３ａの凹部１３７に収容された電線１９１の一端が、側壁１３７２の隙間１３４３から引き出され、可動部材１１に組み付けられた発光基板１２のコネクタ類１２２に結合される。電線１９１の他端は、所定の基板など（図略）に結合される。
【０１２６】
二つの第一の駆動部材１３ａ，１３ｂのそれぞれの第一の部分１３５は、前面側から見ると、第一の規制部１５２と、電気的動力源１４１の動力出力部材との間に位置する。二つの第一の駆動部材１３ａ，１３ｂのそれぞれは、曲がり部１３１における屈曲または湾曲の向きの内側が、第一の規制部１５２の側を向き、外側が電気的動力源１４１の動力出力部材の側を向くように配設される。そして、第一の駆動部材１３ａ，１３ｂのリンク部材係合部１３３が、電気的動力源１４１の動力出力部材が配設される側を向くように配設される。
【０１２７】
電気的動力源１４１の動力出力部材（ここでは、モータの回転軸）には、第二の駆動部材１４２の基端部が結合される。このため、第二の駆動部材１４２は、電気的動力源１４１の動力出力部材の動作と一体となって機械的な運動をする。すなわち、電気的動力源１４１の動力出力部材が正逆方向に交互に所定の角度だけ回転すると、第二の駆動部材１４２も、基端部を中心として、正逆方向に交互に所定の回転角度だけ回転する。
【０１２８】
二つの第一の駆動部材１３ａ，１３ｂのそれぞれと、二つのリンク部材１４３のそれぞれとは、第一の連結ピン１９５によって、相対的に揺動可能に連結される。すなわち、第一の駆動部材１３ａ，１３ｂのリンク部材係合部１３３に形成される貫通孔と、リンク部材１４３の一方の端部に形成される貫通孔とに、第一の連結ピン１９５が挿通される。このため、第一の駆動部材１３ａ，１３ｂとリンク部材１４３とは、第一のリンク部材１４３を中心として互いに揺動することができる。同様に、二つの第二の駆動部材１４２のそれぞれと、二つのリンク部材１４３のそれぞれとは、第二の連結ピン１９６によって、相対的に揺動可能に連結される。
【０１２９】
そして、カバー部材１６が、枠部材１５の配置面１５１の前面側に固定される。カバー部材が枠部材に固定されると、第一の駆動部材１３ａ，１３ｂの第一の部分および駆動機構１４ａ，１４ｂ（＝電気的動力源１４１、第二の駆動部材１４２、リンク部材１４３、位置検出手段１４４）の前面が覆われる。さらに、第二の駆動部材１４２の軸部１４２１が、カバー部材１６に設けられる軸受け部１６２に係合する。このため、第二の駆動部材１４２の軸部１４２１が、カバー部材１６の軸受け部１６１に、回転可能に（＝揺動可能に）支持される。
【０１３０】
そして、図６と図７に示すように、一方の第一の駆動部材１３ａおよびこれを駆動する一方の駆動機構１４ａと、他方の第一の駆動部材１３ｂおよびこれを駆動する他方の駆動機構１４ｂとは、可動部材１１の略中心を通過する第一の方向に平行な直線を略中心として、略線対称（＝略鏡面対称）に配設される。
【０１３１】
一方の第一の駆動部材１３ａには、電線１９１が収容され、電線１９１の一方の端部に装着されるコネクタ類が、可動部材１１に固定された発光基板１２に実装されるコネクタ類１２２に結合される。そして、電線１９１の他方の端部に装着されるコネクタ類が、所定の回路基板などに結合される。このため、発光基板１１は、所定の回路基板などを中継し、電線１９１を通じて、外部から電力の供給を受けることができる。
【０１３２】
次に、演出装置１の動作について説明する。図１０〜図１５は、演出装置１の動作を模式的に示した平面図である。詳しくは、図１０と図１１は、第一の駆動部材１３ａ，１３ｂが第一の位置（後述）にある状態を示し、図１２と図１３は、第一の駆動部材１３ａ，１３ｂが第二の位置（後述）にある状態を示し、図１４と図１５は、可動部材１１が揺動する動作を模式的に示す。また、図１０と図１２と図１４は、前面側から見た図であり、図１１と図１３と図１５は背面側から見た図である。なお、図１１と図１３と図１５においては、ケース部材１５の詳細は省略し、その輪郭を一点鎖線で示す。
【０１３３】
なお、可動部材１１は、演出装置１の動作中において、傾いた姿勢（二つの係合部１１１ａ，１１１ｂを通過する直線が第二の方向に対して傾斜する姿勢）となることがある。そこで、説明の便宜上、可動部材１１を前面側または背面側から見て、二つの係合部１１１ａ，１１１ｂが第二の方向に並んだ状態の姿勢（＝二つの係合部１１１ａ，１１１ｂを通過する直線が第二の方向に平行となった状態の姿勢）を「通常の姿勢」と称する。可動部材１１が上下方向に往復動できる構成であれば（上下方向が「第一の方向」で、左右方向が「第二の方向」であれば）、可動部材１１の「通常の姿勢」は、二つの係合部１１１ａ，１１１ｂが左右方向に並んだ状態の姿勢をいう。
【０１３４】
また、前記のとおり、二つの駆動機構１４ａ，１４ｂの電気的動力源１４１は、同期して動作できるとともに、互いに独立して動作できる。このため、二つの第一の駆動部材１３ａ，１３ｂは、同期して揺動できるとともに、互いに独立して揺動することができる。
【０１３５】
図１０と図１１に示すように、二つの電気的動力源１４１が作動し、第二の駆動部材１４２のそれぞれが矢印Ａと矢印Ｂに示す向きに回転すると、第一の駆動部材１３ａ，１３ｂのそれぞれは、第二の駆動部材１４２に連結されたリンク部材１４３によって第二の駆動部材１４２の運動が伝達され、第二の駆動部材１４２およびリンク部材１４３に引っ張られる態様で、矢印Ｃと矢印Ｄの向きに向かって揺動する。そして、第二の駆動部材１４２が、枠部材１５の配置面１５１に設けられる第二の規制部１５３に当接すると、第二の駆動部材１４２は、それぞれ、それ以上は、矢印Ａと矢印Ｂの向きには回転できなくなる。したがって、第一の駆動部材も、それ以上は、矢印Ｃと矢印Ｄの向きに移動しない。第二の駆動部材１４２が第二の規制部１５３に接触している（または直近に接近している）位置における、第一の駆動部材１３ａ，１３ｂの位置（すなわち、図１０と図１１に示す位置）を、説明の便宜上「第一の位置」と称する。
【０１３６】
第一の位置においては、二つの第一の駆動部材１３ａ，１３ｂのそれぞれの第一の部分１３５の軸線が、第二の方向（ここでは、左右方向）に対して傾斜する。一方、第二の部分１３６の軸線は、第二の方向に略平行となる。そして、二つの第一の駆動部材１３ａ，１３ｂのそれぞれの第二の部分１３６が、第二の方向に沿って略一直線に並ぶ。また、可動部材１１は、配置面の前面側にほぼ収まった状態（＝前面側から見て、可動部材１１が、枠部材の配置面からはみ出していない状態、またはほとんどはみ出していない状態）となる。そして、第一の駆動部材１３ａ，１３ｂの可動部材係合部１３４ａ，１３４ｂは、第二の方向に沿って並ぶから、可動部材１１の二つの係合部１１１ａ，１１１ｂも、第二の方向に沿って並ぶ。このため、可動部材１１は、「通常の姿勢」となる。
【０１３７】
すなわち、前面側から見た配置面１５１を四辺形Ｓに見たてると、第一の駆動部材１３ａ，１３ｂの基端部（＝軸受け部１３２）は、四辺形Ｓの「所定の辺Ｅ１」（＝第二の方向に平行な二辺のうちの一方）の両端部（すなわち、四隅部のうちの二箇所）に設けられる。そして、第一の駆動部材１３ａ，１３ｂの第一の部分１３５は、前記「所定の辺Ｅ１」に対して傾斜しているから、第一の駆動部材１３ａ，１３ｂの曲がり部１３１および第二の部分１３６（すなわち、可動部材係合部１３４ａ，１３４ｂ）は、前記「所定の辺Ｅ１」から配置面１５１の内側に入り込んだ位置にある。たとえば、図１０に示すように、第一の駆動部材１３ａ，１３ｂの可動部材係合部１３４ａ，１３４ｂは、配置面１５１の前面であって、配置面１５１の第二の方向の中心または中心近傍に位置する。このため、可動部材１１は、前面側から見て、配置面１５１の前面に収まった状態、特に、配置面１５１の前記「所定の辺Ｅ１」からはみ出していないか、またはほとんどはみ出していない状態となる。
【０１３８】
さらに、第一の位置においては、第二の駆動部材１４２の被検出部１４２３が、位置検出手段１４４により検出可能な位置に位置する。たとえば、位置検出手段１４４が、発光素子と受光素子とを備える構成である場合には、第二の駆動部材１４２の被検出部１４２３が、位置検出手段１４４の発光素子と受光素子との間に入り込んだ位置にある。このため、位置検出手段１４４は、第二の駆動部材１４２を検出することができる。そして、位置検出手段１４４は、第二の駆動部材１４４の被検出部１４２３を検出することによって、第一の駆動部材１３ａ，１３ｂのそれぞれが第一の位置にあることを検出できる。
【０１３９】
図１２と図１３に示すように、二つの電気的動力源１４１が作動し、二つの第二の駆動部材１４２が、それぞれ矢印Ｅと矢印Ｆに示す向きに回転すると、二つの第一の駆動部材１３ａ，１３ｂには、それぞれ、第二の駆動部材１４２に連結されたリンク部材１４３を介して第二の駆動部材１４２の運動が伝達される。このため、第一の駆動部材１３ａ，１３ｂは、第二の駆動部材１４２およびリンク部材１４３に押される態様で、それぞれ、矢印Ｇと矢印Ｈの向きに揺動する。そして、第一の駆動部材１３ａ，１３ｂが、それぞれ矢印Ｇと矢印Ｈの向きに移動すると、第一の部分１３５が第一の規制部１５２に当接する。そうすると、第一の駆動部材１３ａ，１３ｂは、それ以上は、矢印Ｇと矢印Ｈの向きには回転できない。このように、第一の駆動部材１３ａ，１３ｂは、第一の規制部１５３によって、矢印Ｇと矢印Ｈの向きへの移動が規制される。
【０１４０】
そして、前面側から見ると、二つの第一の駆動部材１３ａ，１３ｂのそれぞれの第二の部分１３６は、前記「所定の辺Ｅ１」を越えて配置面の外側に突出することができるが、第一の部分１３５は、配置面１５１の前面側からはみ出すことができない（＝前記「所定の辺Ｅ１」を越えることはできない）。なお、説明の便宜上、第一の部分１３５が枠部材１５の第一の規制部１５２に接触している位置（またはその直近にある位置）を、第一の駆動部材１３ａ，１３ｂの「第二の位置」と称する。
【０１４１】
このような構成とするため、第一の規制部１５２は、第一の駆動部材１３ａ，１３ｂの第一の部分１３５が、前記枠部材１５の「所定の辺Ｅ１」に略平行となった状態において、第一の駆動部材１３ａ，１３ｂに当接する位置に設けられる。または、二つの第一の駆動部材１３ａ，１３ｂの基端部（＝配置面１５１に設けられる二つの軸受け部１５４）を通過する直線に略平行となった状態において、第一の駆動部材１３ａ，１３ｂに当接する位置に設けられる。具体的には、第一の規制部は、図１１に示すように、第一の規制部は、配置面の前記所定の辺またはその直近に、第一の駆動部材の第一の部分が当接し、第二の部分は当接しないように設けられる。
【０１４２】
第一の駆動部材１３ａ，１３ｂは、曲がり部１３１において湾曲または屈曲しており、湾曲または屈曲の内側が第一の規制部１５２の側を向いている。このため、第一の部分１３５が第一の規制部１５２に当接し、配置面１５１の前記所定の辺に略平行となると、第一の駆動部材１３ａ，１３ｂの第二の部分１３６は、前記所定の辺に対して所定の角度をもって傾斜する。そして、第一の駆動部材１３ａ，１３ｂの第二の部分１３６は、配置面１５１の前記所定の辺から外側に突出する。したがって、第一の駆動部材１３ａ，１３ｂの可動部材係合部１３４ａは、配置面１５１の外側に位置する。そして、可動部材１１も、配置面１５１の外側に位置する（少なくとも、第一の位置と比較して、配置面１５１の外側にはみ出している部分が増える）。
【０１４３】
なお、第二の位置においては、第二の駆動部材１４２の被検出部１４２３が、位置検出手段１４４により検出できない位置に位置する。たとえば、位置検出手段１４４として、発光素子と受光素子を備える構成が適用される場合には、第二の駆動部材１４２の被検出部１４２３が、位置検出手段１４４の発光素子と受光素子との間から外に出た位置にある。このため、位置検出手段１４４は、第二の駆動部材１４２の被検出部１４２３を検出することができない。そして、第二の駆動部材１４２の被検出部１４２３が検出されないことをもって、第一の駆動部材１３ａ，１３ｂが第二の位置にあること（正確には、第一の位置にないこと）を検出できる（正確には、第一の位置にないことを検出できる）。
【０１４４】
なお、二つの第一の駆動部材１３ａ，１３ｂの基端部（＝軸受け部１３２）を通過する直線Ｌから、第一の駆動部材１３ａ，１３ｂの先端部（＝可動部材係合部１３４ａ，１３４ｂ）までの距離Ｘ１，Ｘ２は、第一の位置と第二の位置とで略等しいことが好ましい（図１１と図１３参照）。換言すると、二つの第一の駆動部材１３ａ，１３ｂのそれぞれの基端部と先端部とを通過する直線と、二つの第一の駆動部材１３ａ，１３ｂの基端部（＝軸受け部１３２）を通過する直線Ｌとがなす角度は、第一の位置と第二の位置とで略等しいことが好ましい。このような構成であると、二つの第一の駆動部材１３ａ，１３ｂの先端部の第二の方向に沿った位置は、第一の位置と第二の位置とで略等しくなる。換言すると、可動部材１１が第一の位置にある場合と、第二の位置にある場合とで、第二の方向の位置（左右方向位置）が同じとなる。
【０１４５】
このように、第一の駆動部材１３ａ，１３ｂは、電気的動力源１４１が動作することにより、第一の位置と第二の位置との間を揺動することができる。そして、可動部材１１は、二つの第一の駆動部材の揺動の態様に応じて、所定の機械的な運動を行う。
【０１４６】
二つの第一の駆動部材１３ａ，１３ｂが、第一の位置と第二の位置の間を同期して揺動すると、可動部材１１は、二つの第一の駆動部材１３ａ，１３ｂの基端部を通過する直線Ｌに略直角な方向に沿って往復動する。このように、「二つの第一の駆動部材１３ａ，１３ｂの基端部を通過する直線Ｌに略直角な方向」が「第一の方向」であり、「二つの第一の駆動部材１３ａ，１３ｂの基端部を通過する直線Ｌの延伸方向」が「第二の方向」である。なお、可動部材１１の往復動の軌跡は、厳密には略円弧となるが、略直線であるとみす。また、二つの第一の駆動部材１３ａ，１３ｂが「同期して揺動する」とは、二つの第一の駆動部材１３ａ，１３ｂの基端部どうしを通過する直線と、二つの第一の駆動部材１３ａ，１３ｂのそれぞれの基端部と先端部とを通過する直線とがなす角度が、略等しい値に維持された状態で揺動する動作をいうものとする。
【０１４７】
そして、二つの第一の駆動部材１３ａ，１３ｂが同期して揺動すると、可動部材１１に設けられる二つの係合部１１１ａ，１１１ｂは、往復動している間においても、第二の方向に並んだ状態に維持される（二つの係合部１１１ａ，１１１ｂを通過する直線が、第二の方向に略平行に維持される）。このため、可動部材１１は、傾いたりすることなく、「通常の姿勢」を維持した状態で往復動できる。
【０１４８】
このように、一方の第一の駆動部材１３ａおよびこれを駆動する一方の駆動機構１４ａと、他方の第一の駆動部材１３ｂおよびこれを駆動する他方の駆動機構１４ｂとは、可動部材１１の往復動の軌跡を軸線として、略線対称（＝略鏡面対称）に配設される。
【０１４９】
また、二つの第一の駆動部材１３ａ，１３ｂが互いに反対方向に揺動すると、可動部材１１は揺動する。具体的には、たとえば図１４と図１５に示すように、一方の第一の駆動部材１３ａが第二の位置の側から第一の位置の側に向かって移動するとともに（＝矢印Ｄの向きに移動するとともに）、他方の第一の駆動部材が１３ｂ第一の位置の側から第二の位置の側に向かって移動する（＝矢印Ｅの向きに向かって移動する）と、可動部材１１は矢印Ｇの向きに傾く。そして、一方の第一の駆動部材１３ａが第一の位置の側から第二の位置の側に向かって移動するとともに、他方の第一の駆動部材１３ｂが第二の位置の側から第一の位置の側に向かって移動すると、可動部材１１は矢印Ｈの向きに傾く（＝矢印Ｇとは反対向きに傾く）。このため、この動作を交互に繰り返すと、可動部材１１が揺動する。
【０１５０】
なお、一方の第一の駆動部材１３ａと他方の第一の駆動部材１３ｂとを、同じ向きに移動させる場合であっても、移動速度（＝角速度）を異ならせることによって、可動部材１１を揺動させることができる。また、二つの第一の駆動部材１３ａ，１３ｂのいずれかを停止し、二つの第一の駆動部材１３ａ，１３ｂの他のいずれかを揺動させることによっても、可動部材１１を揺動させることができる。
【０１５１】
さらに、可動部材１１を、揺動させながら往復動させることができる。たとえば、二つの第一の駆動部材１３ａ，１３ｂのそれぞれを、少しずつ交互に同じ向きに移動させていく。そうすると、可動部材１１が揺動しながら徐々に第一の方向に沿って移動する。
【０１５２】
次に、遊技盤ユニット９５の演出装置１以外の部材について説明する。
【０１５３】
表示装置９５３は、遊技状況に応じて、所定の図柄や動画などを表示できる装置である。表示装置９５３には、公知の各種液晶表示装置などが適用できる。したがって、説明は省略する。表示装置９５３の画面の形状は特に限定されるものではないが、ここでは、たとえば略四辺形に形成される構成を示す。
【０１５４】
ケース体９５２は、遊技盤ユニット９５を構成する装置や部材を組み付けることや収容することができる部材である。ケース体９５２は、前面側が開放する箱状の構成を有する（換言すると、底の浅いトレイ状または皿状の構成を有する）。そして、「箱の底」に相当する部分には、開口部（＝前後方向に貫通する貫通孔）が形成される。この開口部は、ケース体９５２の背面側に配設された表示装置９５３の画面を、遊技盤ユニット９５の前面側から視認可能にするために形成される。このため、この開口部の寸法および形状は、表示装置の画面の寸法および形状に応じて設定される。表示装置９５２の画面が略四辺形であれば、この開口部も略四辺形に形成される。
【０１５５】
遊技板９５１は板状の部材である。遊技板９５１の前面側には、遊技領域９５１１が設けられる。遊技領域９５１１は、遊技球が流下可能な領域であり、ガイドレール９５１２により区画される領域である。遊技領域９５１１には、遊技球が入賞可能な各種入賞口や入賞装置、遊技球が衝突可能な遊技釘や風車、その他所定の部材や装置が設けられる。
【０１５６】
遊技領域９５１１には、開口部（＝前後方向に貫通する貫通孔）が形成される。この開口部は、遊技盤の背面に設けられる演出装置の動作、および表示装置の画面を、遊技盤ユニット９５の前面側から視認可能にするために形成される。この開口部の寸法や形状は、特に限定されるものではない。たとえば、開口部の寸法および形状は、遊技盤９５１の装飾などに応じて設定される。
【０１５７】
このような装置や部材を備える遊技盤ユニット９５の組み付け構造は、次のとおりである。
【０１５８】
演出装置１は、ケース体９５２の前面側（「箱の底」の内側の面に相当する部分）に組み付けられる。そして、前面側から見ると、演出装置１の枠部材１５が、ケース体９５２に形成される開口部の所定の一辺の外側に位置するように配設される。さらに、前面側から見ると、演出装置１の枠部材１５は、ケース体９５２に形成される開口部を覆わない位置に位置する。好ましくは、演出装置１の枠部材１５を略四辺形に見たてた場合に、第一の駆動部材１３ａ，１３ｂの基端部が近接する辺（第二の方向に平行な二辺のうち、第一の駆動部材１３ａ，１３ｂの基端部が近接する辺）が、ケース部材９５２に形成される開口部の所定の一辺に略一致するか、または近接するように配設される。
【０１５９】
たとえば、ケース体９５２に形成される開口部が略四辺形であり、この開口部の下辺が略水平である場合には、演出装置１の枠部材１５は、ケース体９５２に形成される開口部の下辺よりも下側に位置するように配設される。この場合には、好ましくは、演出装置１の枠部材１５を略四辺形に見たてた場合に、二つの第一の駆動部材１３ａ，１３ｂの基端部が近接する辺が、ケース部材９５２に形成される開口部の下辺に略一致するように配設される。
【０１６０】
このような構成であると、演出装置１の第一の駆動部材１３ａ，１３ｂが第一の位置にあると、可動部材１１は、前面側から見て、ケース体９５２に形成される開口部の外側に位置する。
【０１６１】
表示装置９５３は、ケース体９５２の開口部の背面側（「箱の底」の外側）に相当する部分）に組み付けられる。このため、表示装置９５３の画面は、ケース体９５２に形成される開口部を通じて前面側に露出する。
【０１６２】
演出装置１および表示装置９５３が組み付けられたケース部材９５２が、遊技盤９５１の背面側に組み付けられる。具体的には、「箱の底」の内側の面に相当する部分が、遊技盤９５１の背面に、所定の距離をおいて対向するように組み付けられる。このため、表示装置９５３は、技盤９５１の背面側に位置する。そして、前面側から見て、演出装置１の枠部材１５は、ケース部材９５２に形成される開口部の外側に位置する（＝開口部を塞がない）から、演出装置１は、表示装置９５３の前面に重畳しない（＝画面を覆わない）。このため、表示装置９５３の画面は、ケース体９５２に形成される開口部および遊技盤９５１の遊技領域９５１１に形成される開口部を通じて、遊技盤９５１の前面側から見ることができる。
【０１６３】
演出装置１は、遊技盤９５１と表示装置９５３の間（＝遊技盤９５１の背面側であって、表示装置９５３よりも前面側）に位置する。そして、遊技盤９５１と、演出装置１の枠部材１５の配置面１５１とは、所定の距離をおいて略平行となる。このため、演出装置１は、遊技盤９５１より背面側であって、表示装置９５３の画面よりも前面側に位置し、演出装置１の第一の駆動部材１３ａ，１３ｂおよび可動部材１１は、遊技盤９５１と演出装置１の枠部材１５の配置面１５１との間に収容された状態となる。このような構成であると、演出装置１の第一の駆動部材１３ａ，１３ｂおよび可動部材１１は、表示装置９５３の画面の前面側において、機械的な運動を行うことができる。そして、演出装置１の可動部材１１の機械的な動作は、遊技盤９５１の遊技境域９５１１に形成される開口部を通じて、遊技盤の前面側から見ることができる。
【０１６４】
また、遊技盤９５１の前面（＝遊技領域９５１１）と、枠部材１５の配置面１５１と、表示装置９５３の画面は、略平行に設けられる。このため、演出装置１の可動部材１１は、表示装置９５１の画面の前面側において、その画面に平行な面内において機械的な運動をすることができる。
【０１６５】
図１６と図１７は、遊技盤ユニット９５における、演出装置１と表示装置９５３の位置関係を示した平面図であり、前面側から見た図である。そして、図１６は、二つの第一の駆動部材のそれぞれが第一の位置にある状態を示し、図１７は、第二の位置にある状態を示す。
【０１６６】
本発明の実施形態にかかる遊技機９を前面側から見ると、遊技盤９５１の遊技領域９５１１に形成される開口部を通じて、表示装置９５３の画面が見える（図４と図５を参照）。そして、図１６と図１７に示すように、演出装置１は、表示装置９５３（＝表示装置９５３の画面）の所定の辺（または所定の辺の延長線）αの外側に位置する。
【０１６７】
本発明の実施形態にかかる遊技機９においては、表示装置９５３（＝表示装置９５３の画面）が略四辺形であり、その四辺が水平垂直となるように配設される。そして、演出装置１は、表示装置９５３の下側（＝下辺の外側）に配設され、演出装置１の第二の方向が、表示装置９５３（＝表示装置９５３の画面）の下辺に平行となる向き（＝第二の方向が水平方向となる向き）に設定される。このため、二つの第一の駆動部材１３ａ，１３ｂのそれぞれの基端部は、表示装置９５３（＝表示装置９５３の画面）の所定の辺（ここでは、下辺）の両端近傍（すなわち、左右両側）に位置し、可動部材１１は、表示装置９５３（＝表示装置９５３の画面）の所定の辺の長手方向の中心近傍に位置する。
【０１６８】
二つの駆動機構１４ａ，１４ｂのそれぞれは、二つの第一の駆動部材１３ａ，１３ｂのそれぞれの第一の部分１３５の側方に位置する。そして、二つの駆動機構１４ａ，１４ｂのそれぞれは、二つの第一の駆動部材１３ａ，１３ｂのそれぞれの第一の部分１３５を挟んで、表示装置９５３から遠い側（＝第一の位置に近い側）に位置する。換言すると、二つの駆動機構１３ａ，１３ｂのそれぞれと、表示装置９５３との間に、二つの第一の駆動部材１３ａ，１３ｂのそれぞれの第一の部分１３５が位置する。特に、第一の駆動部材１３ａ，１３ｂが第一の位置にあっても、少なくとも二つの駆動機構１４ａ，１４ｂのそれぞれのリンク部材１４３と第二の駆動部材１４２とは、二つの第一の駆動部材１３ａ，１３ｂのそれぞれの第一の部分１３５を挟んで、表示装置９５３から遠い側に位置する。
【０１６９】
第一の駆動部材１３ａ，１３ｂは、それぞれ基端部側から先端部側を見ると、曲がり部において、表示装置９５３の側に向かって屈曲または湾曲しているように見える。換言すると、表示装置９５３は、第一の駆動部材１３ａ，１３ｂの曲がり部１３１の湾曲または屈曲の向きの内側に位置する。
【０１７０】
第一の駆動部材１３ａ，１３ｂのリンク部材係合部１３３は、枠部材１５の動力源配設部１５６および位置検出手段配設部１５７の側を向くように配設される。すなわち、第一の駆動部材１３ａ，１３ｂの曲がり部１３１の屈曲または湾曲の向きの外側が、枠部材１５の動力源配設部１５６および位置検出手段配設部１５７の側を向くように配設される。
【０１７１】
そして、電気的動力源１４１の動力出力部材（＝第二の駆動部材１４２の基端部）は、第一の駆動部材１３ａ，１３ｂの第一の部分１３５の側方であって、表示装置９５３から遠い側（＝第一の部分１３５を挟んで、表示装置９５３の反対側）に位置する。同様に第二の駆動部材１４２とリンク部材１４３も、第一の駆動部材１３ａ、１３ｂの第一の部分１３５の側方であって、表示装置９５３から遠い側に位置する。
【０１７２】
このような遊技盤ユニット９５の動作（本発明の実施形態にかかる遊技機９の動作）は、次のとおりである。
【０１７３】
第一の駆動部材１３ａ，１３ｂが、第一の位置にあると、二つの第一の駆動部材１３ａ，１３ｂのそれぞれの第一の部分１３５の軸線は、表示装置９５３の所定の辺α（ここでは、下辺）に対して傾斜する。一方、第一の駆動部材１３ａ，１３ｂの第二の部分１３６の軸線は、表示装置９５３の所定の辺の外側に位置し、表示装置９５３の所定の辺に略平行となる。そして、二つの第一の駆動部材１３ａ，１３ｂのそれぞれの第二の部分１３６は、略一直線に並ぶ。このため、可動部材１１は、表示装置９５３の所定の辺の外側に位置する。さらに、第一の駆動部材１３ａ，１３ｂのそれぞれの先端部は、第二の方向に並ぶ（ここでは、左右方向に並ぶ）。このため、可動部材１１の二つの係合部１１１ａ，１１１ｂも、第二の方向に並ぶ。
【０１７４】
この状態においては、第一の駆動部材１３ａ，１３ｂのそれぞれの先端部は、表示装置９５３の所定の辺から外側に離れた位置にあるから、可動部材１１は表示装置９５３の画面の前面側には重ならないか、または、一部が表示装置９５３の画面の所定の辺の近傍（換言すると、表示装置９５３の外周縁の一部、または表示装置の端部側）に重なる。したがって、前面側から見て、表示装置９５３の全体または略全体を見ることができ、可動部材１１は、表示装置９５３の表示の妨げとならないか、またはほとんど妨げとならない。このように、表示装置９５３が表示する画像の全体または略全体が、遊技者に視認可能な状態となる。なお、可動部材１１のこの位置を、説明の便宜上「退避位置」と称する。なお、図１６においては、可動部材１１が、表示装置９５３の前面に重ならない構成を示す。
【０１７５】
また、第一の駆動部材１３ａ，１３ｂが第一の位置にあると、第二の駆動部材１４２が第二の規制部１５３に接触する（または接近する）。そして、第一の駆動部材１３ａ，１３ｂが第一の位置にあると、第二の駆動部材１４２の被検出部１４２３は、位置検出手段１４４により検出可能な位置に位置する。たとえば位置検出手段１４４が、第二の駆動部材１４２の被検出部１４２３を光学的に検出する構成であれば、第二の駆動部材１４２の被検出部１４２３は、位置検出手段１４４の発光素子と受光素子との間に入り込んだ位置にある。このため、位置検出手段１４４は、第二の駆動部材１４２の被検出部１４２３を検出することができる。したがって、位置検出手段１４４は、第二の駆動部材１４２の被検出部１４２３を検出することによって、第一の駆動部材１３ａ，１３ｂのそれぞれが第一の位置にあり、可動部材１１が退避位置にあることを検出できる。
【０１７６】
二つの第一の駆動部材１３ａ，１３ｂのそれぞれが、第二の位置にあると、二つの第一の駆動部材１３ａ，１３ｂのそれぞれの第一の部分１２５の軸線は、表示装置９５３の所定の辺に対して略平行となる（少なくとも、第一の位置よりも角度が小さくなる）。そして、二つの第一の駆動部材１３ａ，１３ｂのそれぞれの曲がり部１３１が、表示装置９５３の所定の辺に接近する。二つの第一の駆動部材１３ａ，１３ｂの第二の部分１３６は、基端部から見て、表示装置９５３の側に屈曲または湾曲している。このため、曲がり部１３１が表示装置９５３の所定の辺に接近し、表示装置９５３の所定の辺に略平行となると、二つの第一の駆動部材１３ａ，１３ｂのそれぞれの第二の部分１３６は、表示装置９５３の画面の前面側に重畳する（＝表示装置９５３の画面の前面側に入り込んだ位置に位置する）。そして、二つの第一の駆動部材１３ａ，１３ｂの先端部は、表示装置９５３の所定の辺から最も入り込んだ位置にある。このため、可動部材１１は、表示装置９５３の前面側に重畳する位置に位置する。可動部材１１のこの位置を、説明の便宜上、「重畳位置」と称する。
【０１７７】
なお、二つの第一の駆動部材１３ａ，１３ｂが、第二の位置にあると、第二の駆動部材１４２の被検出部１４２３は、位置検出手段１４４により検出できない位置に位置する。すなわち、第二の駆動部材１４２の被検出部１４２３は、位置検出手段１４４の発光素子と受光素子との間から外に出た位置にある。このため、位置検出手段１４４は、第二の駆動部材１４２の被検出部１４２３を検出できないことをもって、二つの第一の駆動部材１３ａ，１３ｂのそれぞれが、第一の位置にないこと、および可動部材１１が退避位置にないことを検出できる。すなわち、可動部材１１の少なくとも一部が、表示装置９５３の画面の前面側に重畳していることを検出できる。
【０１７８】
前記のとおり、二つの第一の駆動部材１３ａ，１３ｂは、第一の位置と第二の位置との間を揺動することができる。そして、可動部材１１は、二つの第一の駆動部材１３ａ，１３ｂが第一の位置と第二の位置との間を揺動することによって、退避位置と重畳位置との間を、第一の方向に往復動することができる。ここで、二つの電気的動力源１４１が同期して回転すると、二つの第一の駆動部材１３ａ，１３ｂのそれぞれの先端部（＝係合部１１１ａ，１１１ｂ）の第一の方向の位置（すなわち、直線Ｌからの距離）は、略同じに維持される。このため、可動部材１１は、表示装置９５３の画面の外側（＝表示装置の画面に重畳しない位置。すなわち、表示装置の画面を阻碍しない位置）と、表示装置９５３の画面の内側（＝表示装置の画面に重畳する位置。すなわち、表示装置の画面を阻碍する位置）との間を、往復動することができる。そして、往復動している間は、可動部材１１は、「通常の姿勢」を維持できる。すなわち、可動部材１１は、傾いたりすることなく、退避位置と重畳位置との間を往復動することができる。
【０１７９】
さらに、前記のとおり、可動部材１１は、揺動することができるとともに、揺動しながら往復動することができる。このため、可動部材１１は、表示装置９５３の前面側に重畳した位置において（＝表示装置９５３の画面を一部隠した状態で）、揺動することができる。また、揺動しながら退避位置から重畳位置に移動することや、揺動しながら重畳位置から退避位置に移動することができる。
【０１８０】
前記演出装置１、および本発明の実施形態にかかる遊技機９（前記演出装置１を備える遊技機９、前記演出装置１が組み付けられた遊技盤ユニット９５を備える遊技機９）は、次のような作用効果を奏することができる。
【０１８１】
前記演出装置１は、二つの第一の駆動部材１３ａ，１３ｂの一端部が枠部材１５に対して揺動可能に支持され、他端部に可動部材１１が連結される構成を有する。このため、可動部材１１の動作範囲（＝往復動の範囲、変位量）を大きくすることができる。すなわち、可動部材１１の動作範囲は、二つの第一の駆動部材１３ａ，１３ｂの一端部から他端部の長さに応じて変化し、長さを長くするほど、動作範囲を大きくすることができる。このため、たとえば、二つの第一の駆動部材１３ａ，１３ｂのそれぞれの中間部を揺動可能に支持する構成と比較すると、可動部材１１の変位量を大きくすることができる。そして、このような構成によれば、可動部材１１を、表示装置９５３の前面側で大きく動かすことができる（＝表示装置９５３の前面側における可動部材１１の動作範囲を大きくすることができる）。
【０１８２】
そして、このような構成においては、二つの第一の駆動部材１３ａ，１３ｂが同期して揺動すると（＝同じ方向に揺動すると）、可動部材１１は、二つの第一の駆動部材１３ａ，１３ｂの揺動に応じて往復動することができる。さらに、二つの第一の駆動部材１３ａ，１３ｂが互いに反対方向に揺動すると、可動部材１１は、その場で揺動すること（＝正逆方向に回転すること）ができる。このように、可動部材１１は、枠部材に対して、往復動する態様や揺動する態様で変位することができる。このため、可動部材１１の動作の態様（＝機械的な運動の態様）に変化をもたせることができ、遊技者の遊技に対する興味を持続させることや向上させることができる。
【０１８３】
そして、二つの第一の駆動部材１３ａ，１３ｂのそれぞれを駆動するための二つの駆動機構１４ａ，１４ｂを、二つの第一の駆動部材１３ａ，１３ｂの基端部よりも内側に配設できる。このため、二つの第一の駆動部材１３ａ，１３ｂのそれぞれの外側には、駆動機構１４ａ，１４ｂを配設するためのスペースが必要ない。さらに、二つの駆動機構１４ａ，１４ｂのそれぞれは、電気的動力源１４１（回転動力源）と、第二の駆動部材１４２と、リンク部材１４３のみを備える構成でよい。このため、二つの駆動機構１４ａ，１４ｂのそれぞれは、大型化したり複雑化したりすることがない。このように、可動部材１１に機械的な運動をさせるための二つの駆動機構１４ａ，１４ｂが大型化することを防止もしくは抑制しつつ、可動部材１１の動作範囲を大きくできる。また、可動部材１１に機械的な運動をさせるための二つの駆動機構１４ａ，１４ｂが複雑化することを防止もしくは抑制しつつ、可動部材１１の動作態様のバリエーションを増やすことができる。
【０１８４】
また、このような構成であると、二つの第一の駆動部材１３ａ、１３ｂおよび二つの駆動機構１４ａ，１４ｂの中間において、可動部材１１を、「通常の姿勢」を維持した状態で（＝傾いたりすることなく）、ほぼ直線状に往復動させることができる。すなわち、本発明の実施形態にかかる演出装置１においては、二つの第一の駆動部材１３ａ，１３ｂの先端部の軌跡が、可動部材１１の往復動の軌跡となる。そして、二つの第一の駆動部材１３ａ，１３ｂの基端部を中心として揺動させることができるから（＝二つの第一の駆動部材１３ａ，１３ｂの長手方向の中間部を中心として揺動する構成ではないから）、先端部の軌跡の曲率半径を大きくできる。この曲率半径が大きくなると、可動部材１１の往復動の軌跡は、直線に見えるようになる。そして、二つの第一の駆動部材１３ａ，１３ｂが同期して揺動することにより、可動部材１１が傾いたりすることなく、往復動することができる。
【０１８５】
また、このような構成であると、可動部材１１に、確実かつスムーズに機械的な運動をさせることができる。
【０１８６】
すなわち、一方の第一の駆動部材１３ａと、可動部材１１の一方の係合部１１１ａとは、相対的に回転可能に連結される。これに対して、他方の第一の駆動部材１３ｂと、可動部材１１の他方の係合部１１１ｂとは、相対的に揺動可能で、かつ往復動可能に連結される。換言すると、他方の第一の駆動部材１３ｂと、可動部材１１の他方の係合部１１１ｂとは、「あそび」を有する状態で連結される。このような構成であると、可動部材１１の一方の係合部１１１ｂの機械的な運動の軌跡は、一方の第一の駆動部材１３ａの先端部の軌跡と略一致する。このため、可動部材１１の一方の係合部１１１ａの位置や軌跡は、一方の第一の駆動部材１３ａの揺動の態様に応じて一義的に定まる。可動部材１１の他方の係合部１１１ｂは、他方の第一の駆動部材１３ｂの係合部１１１ｂと相対的に往復動可能である。このため、可動部材の他方の係合部の位置や軌跡は、他方の第一の駆動部材の先端部の位置や軌跡とは異なるものの、一方の係合部１１１ａの位置と他方の第一の駆動部材１３ｂの位置に応じて一義的に定まる。このため、可動部材１１の機械的な運動の態様（＝位置や姿勢）は、全体として、二つの第一の駆動部材１３ａ，１３ｂの揺動の態様や位置に応じて、一義的に定まる。このように、可動部材に、確実な機械的な運動をさせることができる。
【０１８７】
なお、二つの第一の駆動部材１３ａ，１３ｂのそれぞれが揺動すると、二つの第一の駆動部材１３ａ，１３ｂの先端部どうしの間の距離が変化する。これに対して、可動部材１１の二つの係合部１１１ａ，１１１ｂどうしの間の距離は不変である。そこで、他方の第一の駆動部材１３ｂと可動部材１１の他方の係合部１１１ｂとが相対的に往復動することにより、この距離の差を吸収することができる。したがって、可動部材１１は、二つの第一の駆動部材１３ａ，１３ｂの往復動に応じて、スムーズに機械的な運動を行うことができる。
【０１８８】
他方の第一の駆動部材１３ｂに長孔が形成される構成であると、可動部材１１の寸法および形状の自由度が小さくならない。すなわち、可動部材１１に長孔が形成される構成であると、可動部材１１の寸法や形状が、長孔により制限されることがある。これに対して、他方の第一の駆動部材１３ｂに長孔が形成される構成においては、可動部材１１には、係合部１１１ａ，１１１ｂが形成されるのみで良く、長孔が形成される必要がない。そして、係合部１１１ａ，１１１ｂ（＝係合部材１１３を結合できる構成を有する）は、長孔に比較して寸法が小さいから、係合部１１１ａ，１１１ｂが可動部材１１の寸法や形状を制限することがない。
【０１８９】
他方の第一の駆動部材１３ｂ（＝可動部材１１と相対的に往復動できない第一の駆動部材１３ｂ）に電線１９１が設けられない構成であると、可動部材１１と他方の第一の駆動部材１３ｂとの相対的な往復動が妨げられない。すなわち、他方の第一の駆動部材１３ｂ（＝可動部材と相対的に往復動できる第一の駆動部材１３ｂ）に電線１９１が設けられる構成であると、係合部材１１１ａ，１１１ｂが長孔に沿って往復動する際に、電線１９１が可動部材１１のスムーズな動作を妨げるおそれがある。さらに、可動部材１１の機械的な運動によって、電線１９１が損傷するおそれがある。これに対して、他方の第一の駆動部材１３ｂに電線１９１が設けられない構成であると、電線１９１により、可動部材１１と他方の第一の駆動部材１３ｂとの相対的な変位を妨げられることがない。そして、一方の第一の駆動部材１３ａに電線１９１が設けられる構成であると、一方の第一の駆動部材１３ａと電線１９１と係合部１１１ｂとの相対的な位置関係（たとえば、距離など）は大きくは変化しないから、電線１９１が可動部材１１のスムーズな動作を妨げることがない（＝往復動を妨げない）。したがって、可動部材１１はスムーズに機械的な運動を行うことができる。
【０１９０】
二つの駆動機構１４ａ，１４ｂのそれぞれの電気的動力源１４１として、正逆回転動力を発生可能な回転動力源が適用される。そして、二つの第二の駆動部材１４２のそれぞれが、それぞれの電気的動力源１４１に結合されており、枠部材１５に対して正逆回転する態様で変位可能である。このような構成であると、二つの第一の駆動部材１３ａ，１３ｂのそれぞれの往復動の範囲の制御や、機械的な運動の制御が容易となる。そして、二つの第一の駆動部材１３ａ，１３ｂの動作を制御することによって、可動部材１１に種々の機械的な運動を行わせることができる。
【０１９１】
可動部材１１が退避位置にあると、可動部材１１は表示装置９５３の前面側に重畳しないから、表示装置９５３が表示する画像の全体を見渡すことができる。すなわち、可動部材１１が表示装置９５３の表示を妨げないようにできる。一方、可動部材１１が重畳位置にあると、可動部材１１は表示装置９５３の前面側に重なる。このため、可動部材１１により、表示装置９５３の画面の一部が覆われて見えなくなる。したがって、可動部材１１が第一の位置と第二の位置とを交互に移動させ運動と、表示装置９５３が表示する図柄と組み合わせることによって、演出効果を高めることができる。
【０１９２】
また、可動部材１１が退避位置にあると、二つの第一の駆動部材１３ａ，１３ｂのそれぞれは、表示装置９５３の前面側に重ならない。このため、二つの第一の駆動部材１３ａ，１３ｂが表示装置９５３の表示を妨げることを防止できる。すなわち、二つの第一の駆動部材１３ａ，１３ｂに曲がり部１３１が形成され、曲がり部１３１において屈曲または湾曲する構成を有する。そして、曲がり部１３１における屈曲または湾曲の内側（すなわち、谷側）が、表示装置９５３に向けて配設される。このため、二つの第一の駆動部材１３ａ，１３ｂは、第一の位置にあると、基端部から先端部に向かうにしたがって、表示装置９５３から離れていく。したがって、二つの第一の駆動部材１３ａ，１３ｂのそれぞれは、表示装置９５３の前面側に重ならず、表示装置９５３の表示を妨げない。
【０１９３】
さらに、二つの第一の駆動部材１３ａ，１３ｂのそれぞれが第二の位置にある場合であっても、二つの第一の駆動部材１３ａ，１３ｂが目立たないようにできる（＝遊技者に気づかれにくいようにできる）。すなわち、前記のとおり、二つの第一の駆動部材１３ａ，１３ｂのそれぞれは、曲がり部１３１における屈曲または湾曲の内側（すなわち、谷側）が、表示装置９５３に向けて配設される。このため、二つの第一の駆動部材１３ａ，１３ｂのそれぞれが、第二の位置にある場合には、第二の部分（曲がり部１３１から先端部までの間の部分）の一部が表示装置９５３の前面側に重なる。しかしながら、第一の部分（＝基端部から曲がり部１３１までの間の部分）は、表示装置９５３の前面側に重ならないようにできる。このように、二つの第一の駆動部材１３ａ，１３ｂのそれぞれについて、表示装置９５３の前面側に重なる部分を小さくできる。したがって、二つの第一の駆動部材１３ａ，１３ｂを目立たないようにでき、遊技者の可動部材１１の動作に対する興味が削がれないようにすることができる。
【０１９４】
二つの駆動機構１４ａ，１４ｂのそれぞれは、二つの第一の駆動部材１３ａ，１３ｂのそれぞれの第一の部分１３５（＝基端部と曲がり部１３１との間）の側方に設けられる。そして、二つの第一の駆動部材１３ａ，１３ｂのそれぞれの第一の部分１３５を挟んで、表示装置９５３とは反対側の側方に配設される。このような構成であれば、表示装置９５３の周辺のスペースの有効利用を図ることができる。換言すると、表示装置９５３の外側の周辺のスペースが小さい場合であっても、可動部材１１が表示装置９５３の前面側に重ならないようにできるとともに、二つの第一の駆動部材１３ａ，１３ｂを配設するためのスペースを形成できる。
【０１９５】
すなわち、二つの第一の駆動部材１３ａ，１３ｂのそれぞれが、第一の位置にあると、第二の部分１３６は、表示装置９５３から離れた位置にある。これに対して、第一の部分１３５は、第二の部分１３６よりも表示装置９５３に近い位置にある。このため、二つの駆動機構１４ａ，１４ｂのそれぞれが、第一の部分１３５の側方に配設される構成であれば、表示装置９５３と二つの駆動機構１４ａ，１４ｂのそれぞれを接近させることができる。すなわち、表示装置９５３と二つの駆動機構１４ａ，１４ｂの間の距離を小さくすることができる。このため、演出装置１のサイズを小さくすることができる。
【０１９６】
特に、二つの第一の駆動部材１３ａ，１３ｂのそれぞれの第一の部分１３５が、表示装置９５３の所定の辺（ここでは、下辺）に対して所定の角度をもって傾斜する。そして、当該傾斜した部分の外側に、二つの駆動機構１４ａ，１４ｂのそれぞれを配設することができる。このため、二つの駆動機構１４ａ，１４ｂのそれぞれを、表示装置９５３に接近させて配設することができる。したがって、表示装置９５３の外側のスペースが小さい場合であっても、二つの駆動機構１４ａ，１４ｂのそれぞれを配設することが可能となる。換言すると、二つの第一の駆動部材１３ａ，１３ｂの第一の部分１３５が、表示装置９５３の所定の辺に対して所定の角度をもって傾斜する構成とすることにより、表示装置９５３の外側の直近に、二つの駆動機構１４ａ，１４ｂを配設するためのスペースを形成することができる。
【０１９７】
さらに、第一の駆動部材１３ａ，１３ｂのそれぞれが、第一の位置に位置すると、第二の部分１３６（＝曲がり部１３１から先端部までの間の部分）は、表示装置９５３の所定の辺から所定の距離だけ離れた位置において、当該所定の辺に略平行にすることができる。このため、このような構成であると、二つの第一の駆動部材１３ａ，１３ｂのそれぞれの第二の部分１３６を、表示装置９５３の前面側に重ならないようにできる。さらに、二つの第一の駆動部材１３ａ，１３ｂのそれぞれの第二の部分１３６を、表示装置９５３の所定の辺に沿わせた状態にできる。このため、第一の駆動部材１３ａ，１３ｂの第二の部分１３６を収容するために必要なスペースを小さくすることができる。したがって、表示装置９５３の外側のスペースが小さい場合であっても、二つの第一の駆動部材１３ａ，１３ｂのそれぞれを、表示装置９５３の前面側から確実に退避させることができる。
【０１９８】
二つの駆動機構１４ａ，１４ｂのそれぞれが、二つの第一の駆動部材１３ａ，１３ｂのそれぞれの位置を検出可能な検出手段を備える構成であると、可動部材１１の動作を確実に行うことができる。
【０１９９】
そして、位置検出手段１４４は、二つの第二の駆動部材１４２のそれぞれの位置を検出することによって（＝被検出部１４２３を検出することによって）、二つの第一の駆動部材１３ａ，１３ｂのそれぞれの位置を検出する構成である。このような構成であると、位置検出手段１４４を設ける位置の自由度が高くなる。すなわち、位置検出手段１４４を、二つの第一の駆動部材１３ａ，１３ｂの移動軌跡内またはその近傍に設ける必要がなくなる。
【０２００】
さらに、位置検出手段１４４は、二つの第一の駆動部材１３ａ，１３ｂのそれぞれが第一の位置にある場合に、第二の駆動部材１４２のそれぞれの被検出部１４２３を検出可能な構成である。このような構成であると、可動部材１１が退避位置にある場合に、位置検出手段１４４は、二つの第二の駆動部材１４２のそれぞれの被検出部１４２３を検出できる。換言すると、位置検出手段１４４が二つの第二の駆動部材１４２のそれぞれの被検出部１４２３を検出した場合には、可動部材１１は、退避位置にある。このように、可動部材１１が表示装置９５３の前面側に重ならない位置にあることを確実に検出できる。したがって、可動部材１１が表示装置９５３の表示を妨げとなることを確実に防止できる。
【産業上の利用可能性】
【０２０１】
以上、本発明の実施形態について、図面を参照して詳細に説明したが、本発明は、前記実施形態に何ら限定されるものではなく、発明の趣旨を逸脱しない範囲において、種々の改変が可能である。
【０２０２】
たとえば、前記実施形態においては、第一の方向が略垂直で、第二の方向が略水平の構成を示したが、第一の方向および第二の方向は限定されるものではない。たとえば、第一の方向が略水平で、第二の方向が略垂直であっても良い。この場合には、可動部材は、略水平方向に往復動することができる。また、第一の方向が、水平方向や垂直方向に対して傾斜している構成であっても良い。この場合には、可動部材は、水平方向や垂直方向に対して傾斜する方向に往復動することができる。
【０２０３】
また、演出装置と表示装置の位置関係も、前記実施形態に限定されるものではない。たとえば、演出装置が表示装置の上側に配設される構成であっても良く、側方に配設される構成であっても良い。
【０２０４】
また、演出装置の数も、一基に限定されるものではない。たとえば、遊技盤ユニットに二基の演出装置が組み付けられる構成（遊技機が二基の演出装置を備える構成）であってもよい。この場合には、たとえば、表示装置の上方と下方に一基ずつの演出装置が配設される構成や、右側と左側に一基ずつの演出装置が配設される構成が適用できる。さらに、三基以上の演出装置が配設される構成であってもよい。
【符号の説明】
【０２０５】
１  演出装置
１１  可動部材
１１１ａ  一方の係合部
１１１ｂ  他方の係合部
１１２  発光基板固定部
１１３  係合部材
１２  発光基板
１２１  光源
１２２  コネクタ
１３ａ  一方の第一の駆動部材
１３ｂ  他方の第一の駆動部材
１３１  曲がり部
１３２  軸受け部
１３３  リンク部材係合部
１３４ａ，１３４ｂ  可動部材係合部
１３４１ａ，１３４１ｂ  段差面
１３４２ａ，１３４２ｂ  係合孔
１３４３  隙間
１３４４  係止部
１３５  第一の部分
１３６  第二の部分
１３７  凹部
１３７１  底面
１３７２  側壁
１４ａ  一方の駆動機構
１４ｂ  他方の駆動機構
１４１  動力源
１４２  第二の駆動部材
１４２１  軸部
１４２２  リンク部材係合部
１４２３  被検出部
１４３  リンク部材
１４４  位置検出手段
１５  枠部材
１５１  配置面
１５２  第一の規制部
１５３  第二の規制部
１５４  軸受け部
１５５  カバー部材固定部
１５６  動力源配設部
１５７  位置検出手段配設部
１５８  干渉防止穴
１６  カバー部材
１６１  ガイド部
１６２  軸受け部
１９１  電線
１９２  軸部材
１９３  軸受け部材
１９４  押さえ部材
１９５  第一の連結ピン
１９６  第二の連結ピン
１９８  回路基板
９  本発明の実施形態にかかる遊技機
【図１】
2011244916.tif 000003
【図２】
2011244916.tif 000004
【図３】
2011244916.tif 000005
【図４】
2011244916.tif 000006
【図５】
2011244916.tif 000007
【図６】
2011244916.tif 000008
【図７】
2011244916.tif 000009
【図８】
2011244916.tif 000010
【図９】
2011244916.tif 000011
【図１０】
2011244916.tif 000012
【図１１】
2011244916.tif 000013
【図１２】
2011244916.tif 000014
【図１３】
2011244916.tif 000015
【図１４】
2011244916.tif 000016
【図１５】
2011244916.tif 000017
【図１６】
2011244916.tif 000018
【図１７】
2011244916.tif 000019